(57)【要約】【課題】印刷絵柄条件により各インキ着けローラへ最適なインキ供給比率を行うインキ搬送経路への切換えを印刷開始前に自動的に行い、常に高品質の印刷物を生産可能とし、印刷準備時間の短縮化と刷り出し損紙の削減を図る。【解決手段】インキツボ（１）に貯えられたインキを複数のインキ・ローラから構成されるインキ搬送経路を介して刷版に供給すると共に、第１の位置及び第２の位置に移動することによって、インキ搬送経路を第１のインキ搬送経路及び第２のインキ搬送経路に切り換えるインキ練りローラ（４ｅ）を備えた印刷機のインキ装置において、左右方向に分割した、印刷する絵柄の複数の範囲の絵柄面積率又は絵柄面積を求め、隣接する範囲の絵柄面積率又は絵柄面積の差を求め、絵柄面積率又は絵柄面積の差とインキ搬送経路切換え用の第１の基準値とを比較し、その比較結果よりインキ練りローラ（４ｅ）を第１の位置又は第２の位置に移動させる制御装置（３０）を備えた。【選択図】図１
2007152822.tif 000002
【特許請求の範囲】
【請求項１】
インキツボに貯えられたインキを複数のインキ・ローラから構成されるインキ搬送経路を介して刷版に供給すると共に、第１の位置及び第２の位置に移動することによって、前記インキ搬送経路を第１のインキ搬送経路及び第２のインキ搬送経路に切り換える切換ローラを備えた印刷機のインキ装置において、
左右方向に分割した、印刷する絵柄の複数の範囲の絵柄面積率又は絵柄面積を求め、
隣接する範囲の絵柄面積率又は絵柄面積の差を求め、
前記絵柄面積率又は絵柄面積の差と前記インキ搬送経路切換え用の第１の基準値とを比較し、
その比較結果より前記切換ローラを第１の位置又は第２の位置に移動させることを特徴とする印刷機のインキ装置のインキ搬送経路切換え方法。
【請求項２】
前記第１のインキ搬送経路は、前記第２のインキ搬送経路よりゴーストが発生しにくいインキ搬送経路であり、
前記絵柄面積率又は絵柄面積の差が前記第１の基準値以上又はより大きい場合、前記切換ローラを前記第１の位置に移動させることを特徴とする請求項１記載の印刷機のインキ装置のインキ搬送経路切換え方法。
【請求項３】
前記刷版にインキを供給する複数のインキ着けローラと、前記刷版に湿し水を供給する給水装置を更に備えた印刷機のインキ装置において、
前記第１のインキ搬送経路は、前記第２のインキ搬送経路より給水装置側のインキ着けローラにより多くのインキを供給するインキ搬送経路であり、
前記絵柄面積率又は絵柄面積の差が前記第１の基準値以上又はより大きい場合、前記切換ローラを前記第１の位置に移動させることを特徴とする請求項１記載の印刷機のインキ装置のインキ搬送経路切換え方法。
【請求項４】
印刷する絵柄全体の絵柄面積率の平均、又は、絵柄面積の平均又は合計を求め、
前記絵柄面積率の平均、又は、絵柄面積の平均又は合計と前記インキ搬送経路切換え用の第２の基準値とを比較し、
その比較結果より前記切換ローラを前記第１の位置又は前記第２の位置に移動させることを特徴とする請求項１記載の印刷機のインキ装置のインキ搬送経路切換え方法。
【請求項５】
前記第１のインキ搬送経路は、前記第２のインキ搬送経路よりゴーストが発生しにくいインキ搬送経路であり、
前記絵柄面積率の平均、又は、絵柄面積の平均又は合計が前記第２の基準値以上又はより大きい場合、前記切換ローラを前記第１の位置に移動させることを特徴とする請求項４記載の印刷機のインキ装置のインキ搬送経路切換え方法。
【請求項６】
前記刷版にインキを供給する複数のインキ着けローラと、前記刷版に湿し水を供給する給水装置を更に備えた印刷機のインキ装置において、
前記第１のインキ搬送経路は、前記第２のインキ搬送経路より給水装置側のインキ着けローラにより多くのインキを供給するインキ搬送経路であり、
前記絵柄面積率の平均、又は、絵柄面積の平均又は合計が前記第２の基準値以上又はより大きい場合、前記切換ローラを前記第１の位置に移動させることを特徴とする請求項４記載の印刷機のインキ装置のインキ搬送経路切換え方法。
【請求項７】
前記左右方向に分割した複数の範囲が、インキ・ツボ・キーに対応する範囲であることを特徴とする請求項１記載の印刷機のインキ装置のインキ搬送経路切換え方法。
【請求項８】
インキツボに貯えられたインキをインキ・ツボ・キーとインキツボローラの隙間からインキツボローラに供給し、前記インキツボローラに供給されたインキを複数のインキ・ローラから構成されるインキ搬送経路を介して刷版に供給すると共に、第１の位置及び第２の位置に移動することによって、前記インキ搬送経路を第１のインキ搬送経路及び第２のインキ搬送経路に切り換える切換ローラを備えた印刷機のインキ装置において、
隣接するインキ・ツボ・キーの開き量の差を求め、
前記インキ・ツボ・キーの開き量の差と前記インキ搬送経路切換え用の第３の基準値とを比較し、
その比較結果より前記切換ローラを第１の位置又は第２の位置に移動させることを特徴とする印刷機のインキ装置のインキ搬送経路切換え方法。
【請求項９】
前記第１のインキ搬送経路は、前記第２のインキ搬送経路よりゴーストが発生しにくいインキ搬送経路であり、
前記インキ・ツボ・キーの開き量の差が前記第３の基準値以上又はより大きい場合、前記切換ローラを前記第１の位置に移動させることを特徴とする請求項８記載の印刷機のインキ装置のインキ搬送経路切換え方法。
【請求項１０】
前記刷版にインキを供給する複数のインキ着けローラと、前記刷版に湿し水を供給する給水装置を更に備えた印刷機のインキ装置において、
前記第１のインキ搬送経路は、前記第２のインキ搬送経路より給水装置側のインキ着けローラにより多くのインキを供給するインキ搬送経路であり、
前記インキ・ツボ・キーの開き量の差が前記第３の基準値以上又はより大きい場合、前記切換ローラを前記第１の位置に移動させることを特徴とする請求項８記載の印刷機のインキ装置のインキ搬送経路切換え方法。
【請求項１１】
各色毎にすべてのインキ・ツボ・キーの開き量の平均又は合計を求め、
前記各色毎のすべてのインキ・ツボ・キーの開き量の平均又は合計と前記インキ搬送経路切換え用の第４の基準値とを比較し、
その比較結果より前記切換ローラを前記第１の位置又は前記第２の位置に移動させることを特徴とする請求項８記載の印刷機のインキ装置のインキ搬送経路切換え方法。
【請求項１２】
前記第１のインキ搬送経路は、前記第２のインキ搬送経路よりゴーストが発生しにくいインキ搬送経路であり、
前記各色毎のすべてのインキ・ツボ・キーの開き量の平均又は合計が前記第４の基準値以上又はより大きい場合、前記切換ローラを前記第１の位置に移動させることを特徴とする請求項１１記載の印刷機のインキ装置のインキ搬送経路切換え方法。
【請求項１３】
前記刷版にインキを供給する複数のインキ着けローラと、前記刷版に湿し水を供給する給水装置を更に備えた印刷機のインキ装置において、
前記第１のインキ搬送経路は、前記第２のインキ搬送経路より給水装置側のインキ着けローラにより多くのインキを供給するインキ搬送経路であり、
前記各色毎のすべてのインキ・ツボ・キーの開き量の平均又は合計が前記第４の基準値以上又はより大きい場合、前記切換ローラを前記第１の位置に移動させることを特徴とする請求項１１記載の印刷機のインキ装置のインキ搬送経路切換え方法。
【請求項１４】
各色毎に処理を行うことを特徴とする請求項１又は請求項８記載の印刷機のインキ装置のインキ搬送経路切換え方法。
【請求項１５】
インキツボに貯えられたインキを複数のインキ・ローラから構成されるインキ搬送経路を介して刷版に供給すると共に、第１の位置及び第２の位置に移動することによって、前記インキ搬送経路を第１のインキ搬送経路及び第２のインキ搬送経路に切り換える切換ローラを備えた印刷機のインキ装置において、
左右方向に分割した、印刷する絵柄の複数の範囲の絵柄面積率又は絵柄面積を求め、隣接する範囲の絵柄面積率又は絵柄面積の差を求め、前記絵柄面積率又は絵柄面積の差と前記インキ搬送経路切換え用の第１の基準値とを比較し、その比較結果より前記切換ローラを第１の位置又は第２の位置に移動させる制御装置を備えたことを特徴とする印刷機のインキ装置のインキ搬送経路切換え装置。
【請求項１６】
前記第１のインキ搬送経路は、前記第２のインキ搬送経路よりゴーストが発生しにくいインキ搬送経路であり、
前記制御装置は、前記絵柄面積率又は絵柄面積の差が前記第１の基準値以上又はより大きい場合、前記切換ローラを前記第１の位置に移動させることを特徴とする請求項１５記載の印刷機のインキ装置のインキ搬送経路切換え装置。
【請求項１７】
前記刷版にインキを供給する複数のインキ着けローラと、前記刷版に湿し水を供給する給水装置を更に備えた印刷機のインキ装置において、
前記第１のインキ搬送経路は、前記第２のインキ搬送経路より給水装置側のインキ着けローラにより多くのインキを供給するインキ搬送経路であり、
前記制御装置は、前記絵柄面積率又は絵柄面積の差が前記第１の基準値以上又はより大きい場合、前記切換ローラを前記第１の位置に移動させることを特徴とする請求項１５記載の印刷機のインキ装置のインキ搬送経路切換え装置。
【請求項１８】
前記制御装置は、印刷する絵柄全体の絵柄面積率の平均、又は、絵柄面積の平均又は合計を求め、前記絵柄面積率の平均、又は、絵柄面積の平均又は合計と前記インキ搬送経路切換え用の第２の基準値とを比較し、その比較結果より前記切換ローラを前記第１の位置又は前記第２の位置に移動させることを特徴とする請求項１５記載の印刷機のインキ装置のインキ搬送経路切換え装置。
【請求項１９】
前記第１のインキ搬送経路は、前記第２のインキ搬送経路よりゴーストが発生しにくいインキ搬送経路であり、
前記制御装置は、前記絵柄面積率の平均、又は、絵柄面積の平均又は合計が前記第２の基準値以上又はより大きい場合、前記切換ローラを前記第１の位置に移動させることを特徴とする請求項１８記載の印刷機のインキ装置のインキ搬送経路切換え装置。
【請求項２０】
前記刷版にインキを供給する複数のインキ着けローラと、前記刷版に湿し水を供給する給水装置を更に備えた印刷機のインキ装置において、
前記第１のインキ搬送経路は、前記第２のインキ搬送経路より給水装置側のインキ着けローラにより多くのインキを供給するインキ搬送経路であり、
前記制御装置は、前記絵柄面積率の平均、又は、絵柄面積の平均又は合計が前記第２の基準値以上又はより大きい場合、前記切換ローラを前記第１の位置に移動させることを特徴とする請求項１８記載の印刷機のインキ装置のインキ搬送経路切換え装置。
【請求項２１】
前記左右方向に分割した複数の範囲が、インキ・ツボ・キーに対応する範囲であることを特徴とする請求項１５記載の印刷機のインキ装置のインキ搬送経路切換え装置。
【請求項２２】
インキツボに貯えられたインキをインキ・ツボ・キーとインキツボローラの隙間からインキツボローラに供給し、前記インキツボローラに供給されたインキを複数のインキ・ローラから構成されるインキ搬送経路を介して刷版に供給すると共に、第１の位置及び第２の位置に移動することによって、前記インキ搬送経路を第１のインキ搬送経路及び第２のインキ搬送経路に切り換える切換ローラを備えた印刷機のインキ装置において、
隣接するインキ・ツボ・キーの開き量の差を求め、前記インキ・ツボ・キーの開き量の差と前記インキ搬送経路切換え用の第３の基準値とを比較し、その比較結果より前記切換ローラを第１の位置又は第２の位置に移動させる制御装置を備えたことを特徴とする印刷機のインキ装置のインキ搬送経路切換え装置。
【請求項２３】
前記第１のインキ搬送経路は、前記第２のインキ搬送経路よりゴーストが発生しにくいインキ搬送経路であり、
前記制御装置は、前記インキ・ツボ・キーの開き量の差が前記第３の基準値以上又はより大きい場合、前記切換ローラを前記第１の位置に移動させることを特徴とする請求項２２記載の印刷機のインキ装置のインキ搬送経路切換え装置。
【請求項２４】
前記刷版にインキを供給する複数のインキ着けローラと、前記刷版に湿し水を供給する給水装置を更に備えた印刷機のインキ装置において、
前記第１のインキ搬送経路は、前記第２のインキ搬送経路より給水装置側のインキ着けローラにより多くのインキを供給するインキ搬送経路であり、
前記制御装置は、前記インキ・ツボ・キーの開き量の差が前記第３の基準値以上又はより大きい場合、前記切換ローラを前記第１の位置に移動させることを特徴とする請求項２２記載の印刷機のインキ装置のインキ搬送経路切換え装置。
【請求項２５】
前記制御装置は、各色毎にすべてのインキ・ツボ・キーの開き量の平均又は合計を求め、前記各色毎のすべてのインキ・ツボ・キーの開き量の平均又は合計と前記インキ搬送経路切換え用の第４の基準値とを比較し、その比較結果より前記切換ローラを前記第１の位置又は前記第２の位置に移動させることを特徴とする請求項２２記載の印刷機のインキ装置のインキ搬送経路切換え装置。
【請求項２６】
前記第１のインキ搬送経路は、前記第２のインキ搬送経路よりゴーストが発生しにくいインキ搬送経路であり、
前記制御装置は、前記各色毎のすべてのインキ・ツボ・キーの開き量の平均又は合計が前記第４の基準値以上又はより大きい場合、前記切換ローラを前記第１の位置に移動させることを特徴とする請求項２５記載の印刷機のインキ装置のインキ搬送経路切換え装置。
【請求項２７】
前記刷版にインキを供給する複数のインキ着けローラと、前記刷版に湿し水を供給する給水装置を更に備えた印刷機のインキ装置において、
前記第１のインキ搬送経路は、前記第２のインキ搬送経路より給水装置側のインキ着けローラにより多くのインキを供給するインキ搬送経路であり、
前記制御装置は、前記各色毎のすべてのインキ・ツボ・キーの開き量の平均又は合計が前記第４の基準値以上又はより大きい場合、前記切換ローラを前記第１の位置に移動させることを特徴とする請求項２５記載の印刷機のインキ装置のインキ搬送経路切換え装置。
【請求項２８】
各色毎に処理を行うことを特徴とする請求項１５又は請求項２２記載の印刷機のインキ装置のインキ搬送経路切換え装置。
【発明の詳細な説明】
【技術分野】
【０００１】
本発明は、オフセット印刷機，凹版印刷機，グラビア印刷機等のインキ装置におけるインキ搬送経路切換え方法及び装置に関するものである。
【背景技術】
【０００２】
一般に、オフセット印刷機のインキ装置は、インキツボに溜まっているインキをインキツボローラ→インキ呼出しローラ→インキ練りローラ→インキ振りローラ→インキ着けローラとローラ列内にインキを転移させ、版胴周面に巻かれた刷版にインキを供給して図示しない印刷部にて紙に印刷（絵柄）が施される。
【０００３】
ところで、上述したようなインキ装置にあっては、絵柄の如何を問わず、複数のインキ着けローラに対し常に決められた比率でインキを供給してインキを転移させるインキ搬送経路を経て印刷を行っている。
【０００４】
そのため、図５に示すように、絵柄面積（図中ハッチング領域）が紙幅方向で均一でかつ刷版への湿し水の供給量が多すぎる場合（図５の（ａ）参照）は、色むら等が発生し、絵柄面積が紙幅方向で不均一の場合（図５の（ｂ）参照）、特にｅ部の濃度が濃くなるゴースト等が発生するという印刷障害があった。
【０００５】
そこで、従来では、特許文献１に開示されているように、オペレータが印刷する絵柄を確認し、ゴースト等が発生し易い紙幅方向で絵柄面積率が大きく異なる絵柄だった場合、手動で切換ローラを所定のインキ振りローラに着にし、給水側のインキ着けローラにより多くのインキを供給するようにしてゴースト等が発生しにくいインキ・ローラ配列にすると共に、色むら等が発生し易い紙幅方向で絵柄面積率が均一な絵柄だった場合、手動で切換ローラを前記所定のインキ振りローラから脱にし、給水側のインキ着けローラにより少ないインキを供給するようにして色むら等が発生しにくいインキ・ローラ配列にしていた。
【０００６】
【特許文献１】特開平９−２７２１９６号公報
【発明の開示】
【発明が解決しようとする課題】
【０００７】
しかしながら、特許文献１に開示されたインキ装置にあっては、オペレータが判断し、手動で切換えを行っていた為、オペレータの負担になると共に稼働率の低下を招き、更に、切換え忘れが発生し、印刷を開始してから切り換えるということが発生し、更なる稼働率の低下を招くと共に印刷資材の無駄が発生する、という第１の問題があった。
【０００８】
また、全体的に絵柄面積率が小さい場合、切換ローラを前述したインキ振りローラに着にし、給水側のインキ着けローラにより多くのインキを供給するようにすると、インキ装置内に過剰な湿し水が上がり、インキが乳化してしまうという問題があり、更にオペレータの判断が困難になり、オペレータの負担が増加すると共に稼働率の低下を招き、更に、切換えミスが発生し、印刷を開始してから切り換えるということが発生し、更なる稼働率の低下を招くと共に更なる印刷資材の無駄が発生する、という第２の問題があった。
【０００９】
そこで、本発明の目的は、印刷絵柄条件に応じて各インキ着けローラへ最適なインキ供給比率を行うインキ搬送経路への切換えを印刷開始前に自動的に行い、常に高品質の印刷物を生産可能とし、印刷準備時間の短縮化と刷り出し損紙の削減が図れる印刷機のインキ装置のインキ搬送経路切換え方法及び装置を提供することにある。
【課題を解決するための手段】
【００１０】
前記目的を達成するための本発明に係る印刷機のインキ装置のインキ搬送経路切換え方法は、インキツボに貯えられたインキを複数のインキ・ローラから構成されるインキ搬送経路を介して刷版に供給すると共に、第１の位置及び第２の位置に移動することによって、前記インキ搬送経路を第１のインキ搬送経路及び第２のインキ搬送経路に切り換える切換ローラを備えた印刷機のインキ装置において、
左右方向に分割した、印刷する絵柄の複数の範囲の絵柄面積率又は絵柄面積を求め、
隣接する範囲の絵柄面積率又は絵柄面積の差を求め、
前記絵柄面積率又は絵柄面積の差と前記インキ搬送経路切換え用の第１の基準値とを比較し、
その比較結果より前記切換ローラを第１の位置又は第２の位置に移動させることを特徴とする。
【００１１】
また、前記第１のインキ搬送経路は、前記第２のインキ搬送経路よりゴーストが発生しにくいインキ搬送経路であり、
前記絵柄面積率又は絵柄面積の差が前記第１の基準値以上又はより大きい場合、前記切換ローラを前記第１の位置に移動させることを特徴とする。
【００１２】
また、前記刷版にインキを供給する複数のインキ着けローラと、前記刷版に湿し水を供給する給水装置を更に備えた印刷機のインキ装置において、
前記第１のインキ搬送経路は、前記第２のインキ搬送経路より給水装置側のインキ着けローラにより多くのインキを供給するインキ搬送経路であり、
前記絵柄面積率又は絵柄面積の差が前記第１の基準値以上又はより大きい場合、前記切換ローラを前記第１の位置に移動させることを特徴とする。
【００１３】
また、印刷する絵柄全体の絵柄面積率の平均、又は、絵柄面積の平均又は合計を求め、
前記絵柄面積率の平均、又は、絵柄面積の平均又は合計と前記インキ搬送経路切換え用の第２の基準値とを比較し、
その比較結果より前記切換ローラを前記第１の位置又は前記第２の位置に移動させることを特徴とする。
【００１４】
また、前記第１のインキ搬送経路は、前記第２のインキ搬送経路よりゴーストが発生しにくいインキ搬送経路であり、
前記絵柄面積率の平均、又は、絵柄面積の平均又は合計が前記第２の基準値以上又はより大きい場合、前記切換ローラを前記第１の位置に移動させることを特徴とする。
【００１５】
また、前記刷版にインキを供給する複数のインキ着けローラと、前記刷版に湿し水を供給する給水装置を更に備えた印刷機のインキ装置において、
前記第１のインキ搬送経路は、前記第２のインキ搬送経路より給水装置側のインキ着けローラにより多くのインキを供給するインキ搬送経路であり、
前記絵柄面積率の平均、又は、絵柄面積の平均又は合計が前記第２の基準値以上又はより大きい場合、前記切換ローラを前記第１の位置に移動させることを特徴とする。
【００１６】
また、前記左右方向に分割した複数の範囲が、インキ・ツボ・キーに対応する範囲であることを特徴とする。
【００１７】
また、インキツボに貯えられたインキをインキ・ツボ・キーとインキツボローラの隙間からインキツボローラに供給し、前記インキツボローラに供給されたインキを複数のインキ・ローラから構成されるインキ搬送経路を介して刷版に供給すると共に、第１の位置及び第２の位置に移動することによって、前記インキ搬送経路を第１のインキ搬送経路及び第２のインキ搬送経路に切り換える切換ローラを備えた印刷機のインキ装置において、
隣接するインキ・ツボ・キーの開き量の差を求め、
前記インキ・ツボ・キーの開き量の差と前記インキ搬送経路切換え用の第３の基準値とを比較し、
その比較結果より前記切換ローラを第１の位置又は第２の位置に移動させることを特徴とする。
【００１８】
また、前記第１のインキ搬送経路は、前記第２のインキ搬送経路よりゴーストが発生しにくいインキ搬送経路であり、
前記インキ・ツボ・キーの開き量の差が前記第３の基準値以上又はより大きい場合、前記切換ローラを前記第１の位置に移動させることを特徴とする。
【００１９】
また、前記刷版にインキを供給する複数のインキ着けローラと、前記刷版に湿し水を供給する給水装置を更に備えた印刷機のインキ装置において、
前記第１のインキ搬送経路は、前記第２のインキ搬送経路より給水装置側のインキ着けローラにより多くのインキを供給するインキ搬送経路であり、
前記インキ・ツボ・キーの開き量の差が前記第３の基準値以上又はより大きい場合、前記切換ローラを前記第１の位置に移動させることを特徴とする。
【００２０】
また、各色毎にすべてのインキ・ツボ・キーの開き量の平均又は合計を求め、
前記各色毎のすべてのインキ・ツボ・キーの開き量の平均又は合計と前記インキ搬送経路切換え用の第４の基準値とを比較し、
その比較結果より前記切換ローラを前記第１の位置又は前記第２の位置に移動させることを特徴とする。
【００２１】
また、前記第１のインキ搬送経路は、前記第２のインキ搬送経路よりゴーストが発生しにくいインキ搬送経路であり、
前記各色毎のすべてのインキ・ツボ・キーの開き量の平均又は合計が前記第４の基準値以上又はより大きい場合、前記切換ローラを前記第１の位置に移動させることを特徴とする。
【００２２】
また、前記刷版にインキを供給する複数のインキ着けローラと、前記刷版に湿し水を供給する給水装置を更に備えた印刷機のインキ装置において、
前記第１のインキ搬送経路は、前記第２のインキ搬送経路より給水装置側のインキ着けローラにより多くのインキを供給するインキ搬送経路であり、
前記各色毎のすべてのインキ・ツボ・キーの開き量の平均又は合計が前記第４の基準値以上又はより大きい場合、前記切換ローラを前記第１の位置に移動させることを特徴とする。
【００２３】
また、各色毎に前述した処理を行うことを特徴とする。
【００２４】
前記目的を達成するための本発明に係る印刷機のインキ装置のインキ搬送経路切換え装置は、インキツボに貯えられたインキを複数のインキ・ローラから構成されるインキ搬送経路を介して刷版に供給すると共に、第１の位置及び第２の位置に移動することによって、前記インキ搬送経路を第１のインキ搬送経路及び第２のインキ搬送経路に切り換える切換ローラを備えた印刷機のインキ装置において、
左右方向に分割した、印刷する絵柄の複数の範囲の絵柄面積率又は絵柄面積を求め、隣接する範囲の絵柄面積率又は絵柄面積の差を求め、前記絵柄面積率又は絵柄面積の差と前記インキ搬送経路切換え用の第１の基準値とを比較し、その比較結果より前記切換ローラを第１の位置又は第２の位置に移動させる制御装置を備えたことを特徴とする。
【００２５】
また、前記第１のインキ搬送経路は、前記第２のインキ搬送経路よりゴーストが発生しにくいインキ搬送経路であり、
前記制御装置は、前記絵柄面積率又は絵柄面積の差が前記第１の基準値以上又はより大きい場合、前記切換ローラを前記第１の位置に移動させることを特徴とする。
【００２６】
また、前記刷版にインキを供給する複数のインキ着けローラと、前記刷版に湿し水を供給する給水装置を更に備えた印刷機のインキ装置において、
前記第１のインキ搬送経路は、前記第２のインキ搬送経路より給水装置側のインキ着けローラにより多くのインキを供給するインキ搬送経路であり、
前記制御装置は、前記絵柄面積率又は絵柄面積の差が前記第１の基準値以上又はより大きい場合、前記切換ローラを前記第１の位置に移動させることを特徴とする。
【００２７】
また、前記制御装置は、印刷する絵柄全体の絵柄面積率の平均、又は、絵柄面積の平均又は合計を求め、前記絵柄面積率の平均、又は、絵柄面積の平均又は合計と前記インキ搬送経路切換え用の第２の基準値とを比較し、その比較結果より前記切換ローラを前記第１の位置又は前記第２の位置に移動させることを特徴とする。
【００２８】
また、前記第１のインキ搬送経路は、前記第２のインキ搬送経路よりゴーストが発生しにくいインキ搬送経路であり、
前記制御装置は、前記絵柄面積率の平均、又は、絵柄面積の平均又は合計が前記第２の基準値以上又はより大きい場合、前記切換ローラを前記第１の位置に移動させることを特徴とする。
【００２９】
また、前記刷版にインキを供給する複数のインキ着けローラと、前記刷版に湿し水を供給する給水装置を更に備えた印刷機のインキ装置において、
前記第１のインキ搬送経路は、前記第２のインキ搬送経路より給水装置側のインキ着けローラにより多くのインキを供給するインキ搬送経路であり、
前記制御装置は、前記絵柄面積率の平均、又は、絵柄面積の平均又は合計が前記第２の基準値以上又はより大きい場合、前記切換ローラを前記第１の位置に移動させることを特徴とする。
【００３０】
また、前記左右方向に分割した複数の範囲が、インキ・ツボ・キーに対応する範囲であることを特徴とする。
【００３１】
また、インキツボに貯えられたインキをインキ・ツボ・キーとインキツボローラの隙間からインキツボローラに供給し、前記インキツボローラに供給されたインキを複数のインキ・ローラから構成されるインキ搬送経路を介して刷版に供給すると共に、第１の位置及び第２の位置に移動することによって、前記インキ搬送経路を第１のインキ搬送経路及び第２のインキ搬送経路に切り換える切換ローラを備えた印刷機のインキ装置において、
隣接するインキ・ツボ・キーの開き量の差を求め、前記インキ・ツボ・キーの開き量の差と前記インキ搬送経路切換え用の第３の基準値とを比較し、その比較結果より前記切換ローラを第１の位置又は第２の位置に移動させる制御装置を備えたことを特徴とする。
【００３２】
また、前記第１のインキ搬送経路は、前記第２のインキ搬送経路よりゴーストが発生しにくいインキ搬送経路であり、
前記制御装置は、前記インキ・ツボ・キーの開き量の差が前記第３の基準値以上又はより大きい場合、前記切換ローラを前記第１の位置に移動させることを特徴とする。
【００３３】
また、前記刷版にインキを供給する複数のインキ着けローラと、前記刷版に湿し水を供給する給水装置を更に備えた印刷機のインキ装置において、
前記第１のインキ搬送経路は、前記第２のインキ搬送経路より給水装置側のインキ着けローラにより多くのインキを供給するインキ搬送経路であり、
前記制御装置は、前記インキ・ツボ・キーの開き量の差が前記第３の基準値以上又はより大きい場合、前記切換ローラを前記第１の位置に移動させることを特徴とする。
【００３４】
また、前記制御装置は、各色毎にすべてのインキ・ツボ・キーの開き量の平均又は合計を求め、前記各色毎のすべてのインキ・ツボ・キーの開き量の平均又は合計と前記インキ搬送経路切換え用の第４の基準値とを比較し、その比較結果より前記切換ローラを前記第１の位置又は前記第２の位置に移動させることを特徴とする。
【００３５】
また、前記第１のインキ搬送経路は、前記第２のインキ搬送経路よりゴーストが発生しにくいインキ搬送経路であり、
前記制御装置は、前記各色毎のすべてのインキ・ツボ・キーの開き量の平均又は合計が前記第４の基準値以上又はより大きい場合、前記切換ローラを前記第１の位置に移動させることを特徴とする。
【００３６】
また、前記刷版にインキを供給する複数のインキ着けローラと、前記刷版に湿し水を供給する給水装置を更に備えた印刷機のインキ装置において、
前記第１のインキ搬送経路は、前記第２のインキ搬送経路より給水装置側のインキ着けローラにより多くのインキを供給するインキ搬送経路であり、
前記制御装置は、前記各色毎のすべてのインキ・ツボ・キーの開き量の平均又は合計が前記第４の基準値以上又はより大きい場合、前記切換ローラを前記第１の位置に移動させることを特徴とする。
【００３７】
また、各色毎に前述した処理を行うことを特徴とする。
【発明の効果】
【００３８】
前記構成の本発明によれば、印刷絵柄条件に応じて各インキ着けローラへ最適なインキ供給比率を行うインキ搬送経路への切換えを印刷開始前に自動的に行うことができ、依って、常に高品質の印刷物を生産可能とすると共に、印刷準備時間の短縮化と刷り出し損紙の削減が図れる。
【発明を実施するための最良の形態】
【００３９】
以下、本発明に係る印刷機のインキ装置のインキ搬送経路切換え方法及び装置を実施例により図面を用いて詳細に説明する。
【実施例１】
【００４０】
図１は本発明の実施例１を示すインキ装置のローラ配列を示す説明図、図２はインキ搬送経路切換え装置の展開平断面図、図３はインキ搬送経路切換え装置の側面図、図４は隣接するツボキーの絵柄面積率差Ｄtと絵柄面積率平均値Ｄavの説明図、図５は異なった絵柄を有した印刷物の説明図、図６−ａはインキ供給量制御装置のブロック図、図６−ｂはインキ供給量制御装置のブロック図、図７はインキ・ツボ・キー開き量制御装置のブロック図、図８はインキツボローラの回転量制御装置のブロック図、図９−ａはインキ供給量制御装置の動作フロー図、図９−ｂはインキ供給量制御装置の動作フロー図、図９−ｃはインキ供給量制御装置の動作フロー図、図１０−ａはインキ供給量制御装置の動作フロー図、図１０−ｂはインキ供給量制御装置の動作フロー図、図１１−ａはインキ供給量制御装置の動作フロー図、図１１−ｂはインキ供給量制御装置の動作フロー図、図１２−ａはインキ・ツボ・キー開き量制御装置の動作フロー図、図１２−ｂはインキ・ツボ・キー開き量制御装置の動作フロー図、図１３はインキツボローラの回転量制御装置の動作フロー図である。
【００４１】
図１に示すように、インキツボ１に溜まっているインキを版胴７の版面（刷版）に供給するローラ列は、インキツボローラ２，インキ呼出しローラ３，インキ練りローラ４ａ〜４ｇ，インキ振りローラ５ａ〜５ｃ及びインキ着けローラ６ａ〜６ｃから構成される。なお、図中８は、水元ローラ８ａ，呼出しローラ８ｂ，往復ローラ８ｃ及び着けローラ８ｄ等で構成されて、版胴７の版面における非画線部表面に湿し水を供給する給水装置である。
【００４２】
そして、本実施例では、インキ振りローラ５ａ手前のインキ練りローラ４ｄに常時対接するインキ練りローラ４ｅがその直後のインキ振りローラ５ｂに対し着脱可能に構成され、所謂切換ローラとして機能するようになっている。
【００４３】
前記インキ練りローラ４ｅがインキ振りローラ５ｂに所定の圧力をもって接触（対接：第１の位置）した際は、給水装置８側のインキ着けローラ６ｂ、６ｃ、特に６ｃまでのインキ搬送経路の長さが短くなり、インキ着けローラ６ｂ、６ｃ、特に６ｃにより多くのインキが供給される（即ち、給水装置８側のインキ着けローラ６ｂ，６ｃにより多くのインキを供給するインキ搬送経路：第１のインキ搬送経路）が、インキ振りローラ５ｂから離脱（非対接：第２の位置）した際には、給水装置８側のインキ着けローラ６ｂ、６ｃ、特に６ｃにより少ないインキが供給される（即ち、給水装置８側のインキ着けローラ６ｂ，６ｃにより少ないインキを供給するインキ搬送経路：第２のインキ搬送経路）ようになっている。
【００４４】
前記インキ練りローラ４ｅの切換手段は、図２及び図３に示すように、先ず、印刷機の左，右両フレーム１０(左側フレームのみ図示)に軸受ハウジング１１を介してインキ振りローラ５ａの両端軸部が回動自在で且つ軸方向摺動自在に軸支されている。
【００４５】
そして、前記インキ振りローラ５ａの両端軸部にはＹ字状に形成された第１レバー１２の基端部がそれぞれ軸着され、この第１レバー１２の一方（図３中右方）の先端部にはフランジ１３ａ，１３ｂ及び該フランジ１３ａ，１３ｂに軸支されたベアリングキャップ１４を介してインキ練りローラ４ｄの両端軸部が回動自在に軸支されている。
【００４６】
前記フランジ１３ｂの外周には第２レバー１５の中間部（図３中左右方向における）が回動自在に枢支され、この第２レバー１５の一端部（図３中右側の）にベアリングキャップ１６を介して切換ローラとしてのインキ練りローラ４ｅの両端軸部が回動自在に軸支されている。
【００４７】
一方、前記第１レバー１２の他方（図３中左方）の先端部には偏心ブッシュ１７が抜け止めされて貫挿し、その外周の外端寄りに切換えレバー１８の基端部が軸着されると共に、内周軸孔には内端側からナット１９付きのスタッドピン２０が回動自在で且つ抜け止めされて貫挿している。
【００４８】
前記ナット１９はスタッドピン２０の軸心と直交して付設され、このナット１９に螺合するノブ２２付きの調整ネジ２１の先端側はスタッドピン２０を貫通すると共に、前記第２レバー１５の他端部（図３中左側の）に抜け止めされて貫挿したスタッドピン２３をも貫通した後その先端が抜け止めされる。そして、両スタッドピン２０，２３間の調整ネジ２１上には圧縮コイルばね２４が巻装される。
【００４９】
従って、ノブ２２を把持して調整ネジ２１を回すことで、調整ネジ２１の軸方向移動により両スタッドピン２０，２３間の距離が変化し、これにより第２レバー１５がフランジ１３ａ，１３ｂ部を中心に揺動してインキ振りローラ５ｂに対するインキ練りローラ４ｅのニップ圧が調節されることになる。
【００５０】
前記切換えレバー１８の先端部にはエア・シリンダ２５−１のピストンロッド先端がピン２５結合され、このエア・シリンダ２５−１のヘッド部が前記第１レバー１２に固設された支持レバー２６に対して下向きにピン２６ａ結合されている。
【００５１】
そして、前記エア・シリンダ２５−１が収縮する切換えレバー１８の図３中実線の状態では、インキ練りローラ４ｅがインキ振りローラ５ｂに接触され、逆にエア・シリンダ２５−１が伸長する切換えレバー１８の図中鎖線の状態では、偏心ブッシュ１７の偏心回転による調整ネジ２１の下方変位により第２レバー１５がフランジ１３ａ，１３ｂ部を中心に図３中反時計方向に回動してインキ練りローラ４ｅがインキ振りローラ５ｂから離脱するようになっている。なお、上述したインキ練りローラ４ｅの切換手段は、図示しない右フレーム側においても同様に構成される。
【００５２】
前記エア・シリンダ２５−１は、図６−ａ，図６−ｂに示すように、インキ供給量制御装置３０により駆動制御され、図５に示すような印刷絵柄条件に応じて各インキ着けローラ６ａ，６ｂ，６ｃへ最適なインキ供給比率を行うインキ搬送経路（第１のインキ搬送経路又は第２のインキ搬送経路）への切換えを印刷開始前に自動的に行い得るようになっている。
【００５３】
前記インキ供給量制御装置３０は、図６−ａ，図６−ｂに示すように、ＣＰＵ３１とＲＡＭ３２とＲＯＭ３３との他に、今回の印刷で使用する各印刷ユニットの絵柄面積率の合計値IRs記憶用メモリ３４，今回の印刷で使用する各印刷ユニットの絵柄面積率の平均値IRam記憶用メモリ３５，各インキ色ICmに対応する切換え用の第２の基準値R2m記憶用メモリ３６，切換ローラ着の印刷ユニット番号記憶用メモリ３７，各インキ色ICmに対応する絵柄面積率-インキ・ツボ・キー開き量変換テーブル記憶用メモリ３８，今回の印刷で使用する各印刷ユニットの各インキ・ツボ・キーの開き量Kmn2記憶用メモリ３９，切換ローラ着設定用の印刷ユニット番号記憶用メモリ４０，各インキ色ICmに対応する基準のインキツボローラの回転量Rm記憶用メモリ４１，今回の印刷で使用する印刷ユニット数Mmax記憶用メモリ４２，今回の印刷で使用する印刷ユニット番号UNm記憶用メモリ４３，今回の印刷で使用する各印刷ユニットUNmのインキ色ICm記憶用メモリ４４，今回の印刷で使用する各印刷ユニットUNmの各インキ・ツボ・キーに対応する範囲の絵柄面積率IRmn記憶用メモリ４５，カウント値Ｍ記憶用メモリ４６，カウント値Ｎ１記憶用メモリ４７，今回の印刷で使用する各印刷ユニットUNmの(N1-1)番目のインキ・ツボ・キーに対応する範囲の絵柄面積率IRm(n1-1)とN1番目のインキ・ツボ・キーに対応する範囲の絵柄面積率IRmn1の差(IRm(n1-1)-IRmn1)記憶用メモリ４８，今回の印刷で使用する各印刷ユニットUNmの(N1-1)番目のインキ・ツボ・キーに対応する範囲の絵柄面積率IRm(n1-1)とN1番目のインキ・ツボ・キーに対応する範囲の絵柄面積率IRmn1の差の絶対値｜IRm(n1-1)-IRmn1｜記憶用メモリ４９，各インキ色ICmに対応する切換え用の第１の基準値R1m記憶用メモリ５０，各印刷ユニットのインキ・ツボ・キーの総数Nmax記憶用メモリ５１，カウント値Ｎ２記憶用メモリ５２が、各入出力装置５３，５４及びインタフェース５５と共に母線（ＢＵＳ）５６で接続されてなる。
【００５４】
入出力装置５３には、キーボートや各種スイッチ及びボタン等の入力装置５７とＣＲＴやランプ等の表示器５８とＦ・Ｄドライブやプリンタ等の出力装置５９が接続される。入出力装置５４には、第１の印刷ユニットのローラ経路切替用のエア・シリンダ２５−１から第Ｍの印刷ユニットのローラ経路切替用のエア・シリンダ２５−Ｍにそれぞれ対応する第１の印刷ユニットのローラ経路切替用のエア・シリンダ用のバルブ６０−１から第Ｍの印刷ユニットのローラ経路切替用のエア・シリンダ用のバルブ６０−Ｍが接続される。
【００５５】
そして、インタフェース５５には、印刷機制御装置６１と、第１（の印刷ユニット）のインキツボローラ回転量制御装置６３−１から第Ｍ（の印刷ユニット）のインキツボローラ回転量制御装置６３−Ｍと、第１のインキ・ツボ・キー開き量制御装置６２−１から第(M×N)のインキ・ツボ・キー開き量制御装置６２−(M×N)とが接続される。
【００５６】
印刷機制御装置６１は、図示しない給紙ユニット，第１〜第Ｍ印刷ユニット，排紙ユニット等の印刷機全体を制御するものである。
【００５７】
第１のインキ・ツボ・キー開き量制御装置６２−１から第(M×N)のインキ・ツボ・キー開き量制御装置６２−(M×N)は、図７に示すように、ＣＰＵ６４とＲＡＭ６５とＲＯＭ６６との他に、受信したインキ・ツボ・キーの開き量Kmn記憶用メモリ６７，目標とするインキ・ツボ・キーの開き量記憶用メモリ６８，カウンタのカウント値記憶用メモリ６９，現在のインキ・ツボ・キーの開き量記憶用メモリ７０が、入出力装置７１及びインタフェース７２と共に母線（ＢＵＳ）７３で接続されてなる。
【００５８】
入出力装置７１には、インキ・ツボ・キー駆動用モータ７４がインキ・ツボ・キー駆動用モータ・ドライバ７５を介して接続されると共に、インキ・ツボ・キー駆動用モータ７４に内蔵されたインキ・ツボ・キー駆動用モータ用ロータリー・エンコーダ７６がカウンタ７７を介して接続される。また、インキ・ツボ・キー駆動用モータ用ロータリー・エンコーダ７６の検出信号はインキ・ツボ・キー駆動用モータ・ドライバ７５にも入力される。そして、インタフェース７２に上述したインキ供給量制御装置３０が接続される。
【００５９】
第１のインキツボローラ回転量制御装置６３−１から第Ｍのインキツボローラ回転量制御装置６３−Ｍは、図８に示すように、ＣＰＵ７８とＲＡＭ７９とＲＯＭ８０との他に、受信したインキツボローラの回転量Rm記憶用メモリ８１，目標とするインキツボローラの回転量記憶用メモリ８２が、入出力装置８３及びインタフェース８４と共に母線（ＢＵＳ）８５で接続されてなる。
【００６０】
入出力装置８３には、インキツボローラ駆動用モータ８６がインキツボローラ駆動用モータ・ドライバ８７を介して接続されると共に、インキツボローラ駆動用モータ８６に内蔵されたインキツボローラ駆動用モータ用ロータリー・エンコーダ８８がＦ／Ｖ変換器８９及びＡ／Ｄ変換器９０を介して接続される。また、インキツボローラ駆動用モータ用ロータリー・エンコーダ８８の検出信号はインキツボローラ駆動用モータ・ドライバ８７にも入力される。そして、インタフェース８４に上述したインキ供給量制御装置３０が接続される。
【００６１】
このように構成されるため、インキ供給量制御装置３０は、図９−ａ乃至図９−ｃ，図１０−ａ及び図１０−ｂ，図１１−ａ及び図１１−ｂに示す動作フローにしたがって動作する。
【００６２】
即ち、ステップＰ１で入力装置５７におけるインキ・プリセット・スイッチがＯＮか否かを判断し、可であればステップＰ２で各メモリが初期化される。否であればステップＰ３で印刷機制御装置６１より、印刷完了信号が出力されたか否かを判断し、可であればステップＰ４ですべての印刷ユニットのローラ経路切換用のエア・シリンダ用のバルブ６０−１〜６０−Ｍへの切換信号出力を停止してステップＰ１に戻り、否であれば即ステップＰ１に戻る。
【００６３】
次に、ステップＰ５で今回の印刷で使用する印刷ユニット数Mmax及び印刷ユニット番号UNm及び各印刷ユニットUNmのインキ色ICm及び各インキ・ツボ・キーに対応する範囲の絵柄面積率IRmnを入力し、それぞれのメモリ４２〜４５に記憶した後、ステップＰ６でカウント値Ｍ記憶用メモリ４６に１を書き込むと共に、ステップＰ７でカウント値Ｎ１記憶用メモリ４７に２を書き込む。
【００６４】
次に、ステップＰ８で今回の印刷で使用するM番目の印刷ユニット番号UNmをメモリ４３から読み込んだ後、ステップＰ９で今回の印刷で使用するM番目の印刷ユニットUNmの(N1-1)番目のインキ・ツボ・キーに対応する範囲の絵柄面積率IRm(n1-1)をメモリ４５から読み込むと共に、ステップ１０で今回の印刷で使用するM番目の印刷ユニットUNmのN1番目のインキ・ツボ・キーに対応する範囲の絵柄面積率IRmn1をメモリ４５から読み込む。
【００６５】
次に、ステップＰ１１で今回の印刷で使用するM番目の印刷ユニットUNmの(N1-1)番目のインキ・ツボ・キーに対応する範囲の絵柄面積率IRm(n1-1)とN1番目のインキ・ツボ・キーに対応する範囲の絵柄面積率IRmn1の差(IRm(n1-1)-IRmn1)を演算し、メモリ４８に記憶すると共に、ステップＰ１２で今回の印刷で使用するM番目の印刷ユニットUNmの(N1-1)番目のインキ・ツボ・キーに対応する範囲の絵柄面積率IRm(n1-1)とN1番目のインキ・ツボ・キーに対応する範囲の絵柄面積率IRmn1の差の絶対値｜IRm(n1-1)-IRmn1｜を演算し、メモリ４９に記憶する。
【００６６】
次に、ステップＰ１３で今回の印刷で使用するM番目の印刷ユニットUNmのインキ色ICmをメモリ４４から読み込むと共に、ステップＰ１４で今回の印刷で使用するM番目の印刷ユニットUNmのインキ色ICmに対応する切換え用の第１の基準値R1mをメモリ５０から読み込んだ後、ステップＰ１５で今回の印刷で使用するM番目の印刷ユニットUNmの(N1-1)番目のインキ・ツボ・キーに対応する範囲の絵柄面積率IRm(n1-1)とN1番目のインキ・ツボ・キーに対応する範囲の絵柄面積率IRmn1の差の絶対値｜IRm(n1-1)-IRmn1｜が、今回の印刷で使用するM番目の印刷ユニットUNmのインキ色に対応する切換え用の第１の基準値R1m以上か否かを判断する。
【００６７】
ステップＰ１５で可であれば後述するステップＰ２２に移行し、否であればステップＰ１６でカウント値N1に１を加算し、メモリ４７に上書きする。
【００６８】
次に、ステップＰ１７で各印刷ユニットのインキ・ツボ・キーの総数Nmaxをメモリ５１から読み込んだ後、ステップＰ１８でカウント値N1が各色毎のインキ・ツボ・キーの総数Nmaxより大きいか否かを判断し、可であればステップＰ１９でカウント値Mに１を加算し、メモリ４６に上書きする。否であればステップＰ９に戻る。
【００６９】
次に、ステップＰ２０で今回の印刷で使用する印刷ユニット数Mmaxをメモリ４２から読み込んだ後、ステップＰ２１でカウント値Mが今回の印刷で使用する印刷ユニット数Mmaxより大きいか否かを判断し、可であれば後述するステップＰ３６に移行する。否であればステップＰ７に戻る。
【００７０】
次に、ステップＰ２２でカウント値Ｎ２記憶用メモリ５２に１を書き込んだ後、ステップＰ２３で今回の印刷で使用する印刷ユニットUNmの絵柄面積率の合計値IRs記憶用メモリ３４を初期化し、その後ステップＰ２４で今回の印刷で使用するM番目の印刷ユニットUNmのN2番目のインキ・ツボ・キーに対応する範囲の絵柄面積率IRmn2をメモリ４５から読み込む。
【００７１】
次に、ステップＰ２５で今回の印刷で使用する印刷ユニットUNmの絵柄面積率の合計値IRs記憶用メモリ３４の値を読み込んだ後、ステップＰ２６で今回の印刷で使用する印刷ユニットUNmの絵柄面積率の合計値IRs記憶用メモリ３４の値に、今回の印刷で使用するM番目の印刷ユニットUNmのN2番目のインキ・ツボ・キーに対応する範囲の絵柄面積率IRmn2を加算し、今回の印刷で使用する印刷ユニットUNmの絵柄面積率の合計値IRs記憶用メモリ３４に上書きする。
【００７２】
次に、ステップＰ２７でカウント値Ｎ２に１を加算し、メモリ５２に上書きした後、ステップＰ２８で各印刷ユニットのインキ・ツボ・キーの総数Nmaxをメモリ５１から読み込み、その後ステップＰ２９でカウント値N2が各印刷ユニットのインキ・ツボ・キーの総数Nmax以上か否かを判断する。
【００７３】
次に、ステップＰ３０で今回の印刷で使用する印刷ユニットUNmの絵柄面積率の合計値IRs記憶用メモリ３４の値を読み込んだ後、ステップＰ３１で各印刷ユニットのインキ・ツボ・キーの総数Nmaxをメモリ５１から読み込み、その後ステップＰ３２で今回の印刷で使用する印刷ユニットUNmの絵柄面積率の合計値IRs記憶用メモリ３４の値を各印刷ユニットのインキ・ツボ・キーの総数Nmaxで除算して今回の印刷で使用するM番目の印刷ユニットUNmの絵柄面積率の平均値IRamを求め、メモリ３５に記憶する。
【００７４】
次に、ステップＰ３３で今回の印刷で使用するM番目の印刷ユニットUNmのインキ色ICmに対応する切換え用の第２の基準値R2mをメモリ３６から読み込んだ後、ステップＰ３４で今回の印刷で使用するM番目の印刷ユニットUNmの絵柄面積率の平均値IRamが、今回の印刷で使用するM番目の印刷ユニットUNmのインキ色に対応する切換え用の第２の基準値R2m以上か否かを判断する。
【００７５】
ステップＰ３４で可であればステップＰ３５で切換ローラ着の印刷ユニット番号記憶用メモリ３７に、今回の印刷で使用するM番目の印刷ユニット番号UNmを書き込んだ後、ステップＰ１９に戻り、否であればステップＰ１６に戻る。
【００７６】
次に、ステップＰ３６でカウント値Ｍ記憶用メモリ４６に１を書き込むと共に、ステップＰ３７でカウント値Ｎ２記憶用メモリ５２に１を書き込んだ後、ステップＰ３８で今回の印刷で使用するM番目の印刷ユニット番号UNmをメモリ４３から読み込む。
【００７７】
次に、ステップＰ３９で今回の印刷で使用するM番目の印刷ユニットUNmのインキ色ICmをメモリ４４から読み込むと共に、ステップＰ４０で今回の印刷で使用するM番目の印刷ユニットUNmのインキ色ICmに対応する絵柄面積率−インキ・ツボ・キー開き量変換テーブルをメモリ３８から読み込み、その後ステップＰ４１で今回の印刷で使用するM番目の印刷ユニットUNmのN2番目のインキ・ツボ・キーに対応する範囲の絵柄面積率IRmn2をメモリ４５から読み込む。
【００７８】
次に、ステップＰ４２で今回の印刷で使用する印刷ユニットUNmのインキ色ICmに対応する絵柄面積率−インキ・ツボ・キー開き量変換テーブルを用いて、今回の印刷で使用するM番目の印刷ユニットUNmのN2番目のインキ・ツボ・キーに対応する範囲の絵柄面積率IRmn2より、今回の印刷で使用するM番目の印刷ユニットUNmのN2番目のインキ・ツボ・キーの開き量Kmn2を求め、メモリ３９に記憶する。
【００７９】
次に、ステップＰ４３でカウント値Ｎ２に１を加算し、メモリ５２に上書きした後、ステップＰ４４で各印刷ユニットのインキ・ツボ・キーの総数Nmaxをメモリ５１から読み込み、ステップＰ４５でカウント値N2が各色毎のインキ・ツボ・キーの総数Nmaxより大きいか否かを判断する。
【００８０】
ステップＰ４５で可であればステップＰ４６でカウント値Ｍに１を加算し、メモリ４６に上書きし、否であればステップＰ３９に戻る。
【００８１】
次に、ステップＰ４７で今回の印刷で使用する印刷ユニット数Mmaxをメモリ４２から読み込んだ後、ステップＰ４８でカウント値Mが今回の印刷で使用する印刷ユニット数Mmaxより大きいか否かを判断し、可であればステップＰ４９で切換ローラ着の印刷ユニット番号記憶用メモリ３７の内容を、切換ローラ着設定用の印刷ユニット番号記憶用メモリ４０に書き込む。否であればステップＰ３７に戻る。
【００８２】
次に、ステップＰ５０で切換ローラ着設定用の印刷ユニット番号記憶用メモリ４０に記憶された最初の印刷ユニット番号を読み込んだ後、ステップＰ５１で切換ローラ着設定用の印刷ユニット番号記憶用メモリ４０に記憶された最初の印刷ユニット番号のローラ経路切換用のエア・シリンダ用のバルブ６０−１〜６０−Ｍに切換信号を出力し、その後ステップＰ５２で切換ローラ着設定用の印刷ユニット番号記憶用メモリ４０より、最初の印刷ユニット番号を削除する。
【００８３】
次に、ステップＰ５３で切換ローラ着設定用の印刷ユニット番号記憶用メモリ４０の内容をチェックした後、ステップＰ５４で切換ローラ着設定用の印刷ユニット番号記憶用メモリ４０内に、記憶されている印刷ユニット番号が無いか否かを判断し、可であればステップＰ５５でカウント値Ｍ記憶用メモリ４６に１を書き込む。否であればステップＰ５０に戻る。
【００８４】
次に、ステップＰ５６でカウント値Ｎ２記憶用メモリ５２に１を書き込んだ後、ステップＰ５７で今回の印刷で使用するM番目の印刷ユニット番号UNmをメモリ４３から読み込み、その後ステップＰ５８で今回の印刷で使用するM番目の印刷ユニットUNmのN2番目のインキ・ツボ・キーの開き量Kmn2をメモリ３９から読み込む。
【００８５】
次に、ステップＰ５９で印刷ユニット番号UNmの印刷ユニットのN2番目のインキ・ツボ・キー開き量制御装置６２−１〜６２−（Ｍ×Ｎ）に、インキ・ツボ・キーの開き量Kmn2を送信した後、ステップＰ６０で印刷ユニット番号UNmの印刷ユニットのN2番目のインキ・ツボ・キー開き量制御装置６２−１〜６２−（Ｍ×Ｎ）より、受信確認信号が送信されたら、ステップＰ６１でカウント値Ｎ２に１を加算し、メモリ５２に上書きする。
【００８６】
次に、ステップＰ６２で各印刷ユニットのインキ・ツボ・キーの総数Nmaxをメモリ５１から読み込んだ後、ステップＰ６３でカウント値N2が各色毎のインキ・ツボ・キーの総数Nmaxより大きいか否かを判断し、可であればステップＰ６４でカウント値Ｍに１を加算し、メモリ４６に上書きする。否であればステップＰ５８に戻る。
【００８７】
次に、ステップＰ６５で今回の印刷で使用する印刷ユニット数Mmaxをメモリ４２から読み込んだ後、ステップＰ６６でカウント値Mが今回の印刷で使用する印刷ユニット数Mmaxより大きいか否かを判断し、可であればステップＰ６７でカウント値Ｍ記憶用メモリ４６に１を書き込む。否であればステップＰ５６に戻る。
【００８８】
次に、ステップＰ６８で今回の印刷で使用するM番目の印刷ユニットUNmのインキ色ICmをメモリ４４から読み込んだ後、ステップＰ６９で今回の印刷で使用するM番目の印刷ユニットUNmのインキ色ICmに対応する基準のインキツボローラの回転量Rmをメモリ４１から読み込み、その後ステップＰ７０で印刷ユニット番号UNmの印刷ユニットのインキツボローラ回転量制御装置６３−１〜６３−Ｍに、インキツボローラの回転量Rmを送信する。
【００８９】
次に、ステップＰ７１で印刷ユニット番号UNmの印刷ユニットのインキツボローラ回転量制御装置６３−１〜６３−Ｍより、受信確認信号が送信されたら、ステップＰ７２でカウント値Ｍに１を加算し、メモリ４６に上書きした後、ステップＰ７３で今回の印刷で使用する印刷ユニット数Mmaxをメモリ４２から読み込む。
【００９０】
次に、ステップＰ７４でカウント値Mが今回の印刷で使用する印刷ユニット数Mmaxより大きいか否かを判断し、可であればステップＰ１に戻り、否であればステップＰ６８に戻る。以後、これを繰り返す。
【００９１】
また、第１のインキ・ツボ・キー開き量制御装置６２−１から第(M×N)のインキ・ツボ・キー開き量制御装置６２−(M×N)は、図１２−ａ及び図１２−ｂに示す動作フローにしたがって動作する。
【００９２】
即ち、ステップＰ１でインキ供給量制御装置３０より、インキ・ツボ・キーの開き量Kmn2が送信されると、ステップＰ２でインキ・ツボ・キーの開き量Kmnを受信して受信したインキ・ツボ・キーの開き量Kmn記憶用メモリ６７に記憶し、その後ステップＰ３でインキ供給量制御装置３０に受信確認信号を送信する。
【００９３】
次に、ステップＰ４で受信したインキ・ツボ・キーの開き量Kmnを、目標とするインキ・ツボ・キーの開き量記憶用メモリ６８に書き込んだ後、ステップＰ５でカウンタ７７のカウント値を読込み、メモリ６９に記憶し、その後ステップＰ６でカウンタ７７のカウント値より、現在のインキ・ツボ・キーの開き量を演算し、メモリ７０に記憶する。
【００９４】
次に、ステップＰ７で目標とするインキ・ツボ・キーの開き量と現在のインキ・ツボ・キーの開き量が等しいか否かを判断し、可であればステップＰ１に戻り、否であればステップＰ８で目標とするインキ・ツボ・キーの開き量が現在のインキ・ツボ・キーの開き量より大きいか否かを判断する。
【００９５】
ステップＰ８で可であればステップＰ９でインキ・ツボ・キー駆動用モータ・ドライバ７５に正転指令を出力し、否であればステップＰ１０でインキ・ツボ・キー駆動用モータ・ドライバ７５に逆転指令を出力する。
【００９６】
次に、ステップＰ１１でカウンタ７７のカウント値を読込み、メモリ６９に記憶した後、ステップＰ１２でカウンタ７７のカウント値より、現在のインキ・ツボ・キーの開き量を演算し、メモリ７０に記憶する。
【００９７】
次に、ステップＰ１３で現在のインキ・ツボ・キーの開き量と目標とするインキ・ツボ・キーの開き量が等しいか否かを判断し、可であればステップＰ１４でインキ・ツボ・キー駆動用モータ・ドライバ７５に駆動停止指令を出力した後、ステップＰ１に戻り、否であればステップＰ１１に戻る。以後、これを繰り返す。
【００９８】
また、第１のインキツボローラ回転量制御装置６３−１から第Ｍのインキツボローラ回転量制御装置６３−Ｍは、図１３に示す動作フローにしたがって動作する。
【００９９】
即ち、ステップＰ１でインキ供給量制御装置３０よりインキツボローラの回転量Rmが送信されると、ステップＰ２でインキツボローラの回転量Rmを受信して受信したインキツボローラの回転量Rm記憶用メモリ８１に記憶し、その後ステップＰ３でインキ供給量制御装置３０に受信確認信号を送信する。
【０１００】
次に、ステップＰ４で受信したインキツボローラの回転量Rmを、目標とするインキツボローラの回転量記憶用メモリ８２に書き込み、記憶した後、ステップＰ５で目標とするインキツボローラの回転量をメモリ８２から読み込む。
【０１０１】
次に、ステップＰ６でインキツボローラ駆動用モータ・ドライバ８７に、目標とするインキツボローラの回転量の回転速度指令を出力してステップＰ１に戻る。以後、これを繰り返す。
【０１０２】
このようにして、本実施例では、図４に示すように、各印刷ユニットの各インキ・ツボ・キーに対応する範囲の絵柄面積率(IRmn)を求めて隣接するインキ・ツボ・キーの絵柄面積率差Ｄt(IRm(n1-1)-IRmn1)を求め、その差(絶対値)が一定値(第１の基準値R1m：特許請求の範囲の第１の基準値)以上になるところが一つでもある場合（図５の（ｂ）参照）は、自動的にインキ練りローラ４ｅをインキ振りローラ５ｂに着にし、給水側のインキ着けローラ６ｂ，６ｃにより多くのインキを供給するようにしてゴースト等が発生しにくいインキ搬送経路（第１のインキ搬送経路）にする。逆に、一つもない場合（図５の（ａ）参照）は、自動的にインキ練りローラ４ｅをインキ振りローラ５ｂから脱にし、給水側のインキ着けローラ６ｂ，６ｃにより少ないインキを供給するようにして色むら等が発生しにくいインキ搬送経路（第２のインキ搬送経路）にする。
【０１０３】
これにより、オペレータの負担を軽減すると共に稼働率を向上させられる。また、切換え忘れが回避されるので、印刷資材の無駄もなくなる。
【０１０４】
また、本実施例では、図４に示すように、隣接するインキ・ツボ・キーの絵柄面積率差Ｄt(IRm(n1-1)-IRmn1)が一定値(第１の基準値R1m)以上になる場合、更に、絵柄全体の絵柄面積率(IRmn)の平均を求め、求めた平均値Ｄav（IRam）が一定値(第２の基準値R2m：特許請求の範囲の第２の基準値)以上の場合のみ、自動的にインキ練りローラ４ｅをインキ振りローラ５ｂに着にし、給水側のインキ着けローラ６ｂ，６ｃにより多くのインキを供給するようにしてゴースト等が発生しにくいインキ搬送経路（第１のインキ搬送経路）にする。逆に、一定値(第２の基準値R2m)より小さい場合には、自動的にインキ練りローラ４ｅをインキ振りローラ５ｂから脱にし、給水側のインキ着けローラ６ｂ，６ｃにより少ないインキを供給するようにしてインキが乳化しにくいインキ搬送経路（第２のインキ搬送経路）にする。
【０１０５】
これにより、オペレータの判断を不要とし、その負担が軽減されると共に、オペレータの切換えミスが回避され、より一層稼働率を向上させられると共により一層印刷資材の無駄がなくなる。尚、上記実施例では、絵柄面積率Ｄtが第１の基準値以上の場合及び平均値Ｄavが第２の基準値以上の場合、インキ練りローラ４ｅをインキ振りローラ５ｂに着するようにしたが、絵柄面積率Ｄtが第１の基準値より大きい場合及び平均値Ｄavが第２の基準値より大きい場合にインキ練りローラ４ｅをインキ振りローラ５ｂに着するようにしても良い。
【実施例２】
【０１０６】
図１４−ａは本発明の実施例２を示すインキ供給量制御装置のブロック図、図１４−ｂは同じくインキ供給量制御装置のブロック図、図１５はインキ・ツボ・キー開き量制御装置のブロック図、図１６はインキツボローラの回転量制御装置のブロック図、図１７−ａはインキ供給量制御装置の動作フロー図、図１７−ｂはインキ供給量制御装置の動作フロー図、図１７−ｃはインキ供給量制御装置の動作フロー図、図１８−ａはインキ供給量制御装置の動作フロー図、図１８−ｂはインキ供給量制御装置の動作フロー図、図１８−ｃはインキ供給量制御装置の動作フロー図、図１９−ａはインキ供給量制御装置の動作フロー図、図１９−ｂはインキ供給量制御装置の動作フロー図、図２０−ａはインキ・ツボ・キー開き量制御装置の動作フロー図、図２０−ｂはインキ・ツボ・キー開き量制御装置の動作フロー図、図２１はインキツボローラの回転量制御装置の動作フロー図である。
【０１０７】
なお、本実施例のインキ搬送経路の切換手段の構成は実施例１と同様なので、図１乃至図３を参照して重複する説明は省略する。
【０１０８】
本実施例のインキ供給量制御装置３０は、図１４−ａ，図１４−ｂに示すように、ＣＰＵ３１とＲＡＭ３２とＲＯＭ３３との他に、各インキ色ICmに対応する切換え用の第２の基準値R2m記憶用メモリ３６，切換ローラ着の印刷ユニット番号記憶用メモリ３７，各インキ色ICmに対応する絵柄面積率-インキ・ツボ・キー開き量変換テーブル記憶用メモリ３８，今回の印刷で使用する各印刷ユニットの各インキ・ツボ・キーの開き量Kmn2記憶用メモリ３９，切換ローラ着設定用の印刷ユニット番号記憶用メモリ４０，各インキ色ICmに対応する基準のインキツボローラの回転量Rm記憶用メモリ４１，今回の印刷で使用する印刷ユニット数Mmax記憶用メモリ４２，今回の印刷で使用する印刷ユニット番号UNm記憶用メモリ４３，今回の印刷で使用する各印刷ユニットUNmのインキ色ICm記憶用メモリ４４，今回の印刷で使用する各印刷ユニットUNmの各インキ・ツボ・キーに対応する範囲の絵柄面積率IRmn記憶用メモリ４５，カウント値Ｍ記憶用メモリ４６，カウント値Ｎ１記憶用メモリ４７，各インキ色ICmに対応する切換え用の第１の基準値R1m記憶用メモリ５０，各印刷ユニットのインキ・ツボ・キーの総数Nmax記憶用メモリ５１，カウント値Ｎ２記憶用メモリ５２，今回の印刷で使用する各印刷ユニットの絵柄面積の平均値IAam記憶用メモリ９１，インキ・ツボ・キーに対応する範囲の面積IAmax記憶用メモリ９２，今回の印刷で使用する各印刷ユニットUNmの各インキ・ツボ・キーに対応する範囲の絵柄面積IAmn記憶用メモリ９３，今回の印刷で使用するM番目の印刷ユニットUNmの(N1-1)番目のインキ・ツボ・キーに対応する範囲の絵柄面積IAm(n1-1)とN1番目のインキ・ツボ・キーに対応する範囲の絵柄面積IAmn1の差(IAm(n1-1)-IAmn1)記憶用メモリ９４，今回の印刷で使用するM番目の印刷ユニットUNmの(N1-1)番目のインキ・ツボ・キーに対応する範囲の絵柄面積IAm(n1-1)とN1番目のインキ・ツボ・キーに対応する範囲の絵柄面積IAmn1の差の絶対値｜IAm(n1-1)-IAmn1｜記憶用メモリ９５，今回の印刷で使用する各印刷ユニットの絵柄面積の合計値IAs記憶用メモリ９６が、各入出力装置５３，５４及びインタフェース５５と共に母線（ＢＵＳ）５６で接続されてなる。
【０１０９】
入出力装置５３には、キーボートや各種スイッチ及びボタン等の入力装置５７とＣＲＴやランプ等の表示器５８とＦ・Ｄドライブやプリンタ等の出力装置５９が接続される。入出力装置５４には、第１の印刷ユニットのローラ経路切替用のエア・シリンダ２５−１から第Ｍの印刷ユニットのローラ経路切替用のエア・シリンダ２５−Ｍにそれぞれ対応する第１の印刷ユニットのローラ経路切替用のエア・シリンダ用のバルブ６０−１から第Ｍの印刷ユニットのローラ経路切替用のエア・シリンダ用のバルブ６０−Ｍが接続される。
【０１１０】
そして、インタフェース５５には、印刷機制御装置６１と、第１（の印刷ユニット）のインキツボローラ回転量制御装置６３−１から第Ｍ（の印刷ユニット）のインキツボローラ回転量制御装置６３−Ｍと、第１のインキ・ツボ・キー開き量制御装置６２−１から第(M×N)のインキ・ツボ・キー開き量制御装置６２−(M×N)とが接続される。
【０１１１】
印刷機制御装置６１は、図示しない給紙ユニット，第１〜第Ｍ印刷ユニット，排紙ユニット等の印刷機全体を制御するものである。
【０１１２】
第１のインキ・ツボ・キー開き量制御装置６２−１から第(M×N)のインキ・ツボ・キー開き量制御装置６２−(M×N)は、図１５に示すように、ＣＰＵ６４とＲＡＭ６５とＲＯＭ６６との他に、受信したインキ・ツボ・キーの開き量Kmn記憶用メモリ６７，目標とするインキ・ツボ・キーの開き量記憶用メモリ６８，カウンタのカウント値記憶用メモリ６９，現在のインキ・ツボ・キーの開き量記憶用メモリ７０が、入出力装置７１及びインタフェース７２と共に母線（ＢＵＳ）７３で接続されてなる。
【０１１３】
入出力装置７１には、インキ・ツボ・キー駆動用モータ７４がインキ・ツボ・キー駆動用モータ・ドライバ７５を介して接続されると共に、インキ・ツボ・キー駆動用モータ７４に内蔵されたインキ・ツボ・キー駆動用モータ用ロータリー・エンコーダ７６がカウンタ７７を介して接続される。また、インキ・ツボ・キー駆動用モータ用ロータリー・エンコーダ７６の検出信号はインキ・ツボ・キー駆動用モータ・ドライバ７５にも入力される。そして、インタフェース７２に上述したインキ供給量制御装置３０が接続される。
【０１１４】
第１のインキツボローラ回転量制御装置６３−１から第Ｍのインキツボローラ回転量制御装置６３−Ｍは、図１６に示すように、ＣＰＵ７８とＲＡＭ７９とＲＯＭ８０との他に、受信したインキツボローラの回転量Rm記憶用メモリ８１，目標とするインキツボローラの回転量記憶用メモリ８２が、入出力装置８３及びインタフェース８４と共に母線（ＢＵＳ）８５で接続されてなる。
【０１１５】
入出力装置８３には、インキツボローラ駆動用モータ８６がインキツボローラ駆動用モータ・ドライバ８７を介して接続されると共に、インキツボローラ駆動用モータ８６に内蔵されたインキツボローラ駆動用モータ用ロータリー・エンコーダ８８がＦ／Ｖ変換器８９及びＡ／Ｄ変換器９０を介して接続される。また、インキツボローラ駆動用モータ用ロータリー・エンコーダ８８の検出信号はインキツボローラ駆動用モータ・ドライバ８７にも入力される。そして、インタフェース８４に上述したインキ供給量制御装置３０が接続される。
【０１１６】
このように構成されるため、インキ供給量制御装置３０は、図１７−ａ乃至図１７−ｃ，図１８−ａ乃至図１８−ｃ，図１９−ａ及び図１９−ｂに示す動作フローにしたがって動作する。
【０１１７】
即ち、ステップＰ１で入力装置５７におけるインキ・プリセット・スイッチがＯＮか否かを判断し、可であればステップＰ２で各メモリが初期化される。否であればステップＰ３で印刷機制御装置６１より、印刷完了信号が出力されたか否かを判断し、可であればステップＰ４ですべての印刷ユニットのローラ経路切換用のエア・シリンダ用のバルブ６０−１〜６０−Ｍへの切換信号出力を停止してステップＰ１に戻り、否であれば即ステップＰ１に戻る。
【０１１８】
次に、ステップＰ５で今回の印刷で使用する印刷ユニット数Mmax及び印刷ユニット番号UNm及び各印刷ユニットUNmのインキ色ICm及び各インキ・ツボ・キーに対応する範囲の絵柄面積IAmnを入力し、それぞれのメモリ４２〜４４及び９３に記憶した後、ステップＰ６でカウント値Ｍ記憶用メモリ４６に１を書き込むと共に、ステップＰ７でカウント値Ｎ１記憶用メモリ４７に２を書き込む。
【０１１９】
次に、ステップＰ８で今回の印刷で使用するM番目の印刷ユニット番号UNmをメモリ４３から読み込んだ後、ステップＰ９で今回の印刷で使用するM番目の印刷ユニットUNmの(N1-1)番目のインキ・ツボ・キーに対応する範囲の絵柄面積IAm(n1-1)をメモリ９３から読み込むと共に、ステップ１０で今回の印刷で使用するM番目の印刷ユニットUNmのN1番目のインキ・ツボ・キーに対応する範囲の絵柄面積IAmn1をメモリ９３から読み込む。
【０１２０】
次に、ステップＰ１１で今回の印刷で使用するM番目の印刷ユニットUNmの(N1-1)番目のインキ・ツボ・キーに対応する範囲の絵柄面積IAm(n1-1)とN1番目のインキ・ツボ・キーに対応する範囲の絵柄面積IAmn1の差(IAm(n1-1)-IAmn1)を演算し、メモリ９４に記憶すると共に、ステップＰ１２で今回の印刷で使用するM番目の印刷ユニットUNmの(N1-1)番目のインキ・ツボ・キーに対応する範囲の絵柄面積IAm(n1-1)とN1番目のインキ・ツボ・キーに対応する範囲の絵柄面積IAmn1の差の絶対値｜IAm(n1-1)-IAmn1｜を演算し、メモリ９５に記憶する。
【０１２１】
次に、ステップＰ１３で今回の印刷で使用するM番目の印刷ユニットUNmのインキ色ICmをメモリ４４から読み込むと共に、ステップＰ１４で今回の印刷で使用するM番目の印刷ユニットUNmのインキ色ICmに対応する切換え用の第１の基準値R1mをメモリ５０から読み込んだ後、ステップＰ１５で今回の印刷で使用するM番目の印刷ユニットUNmの(N1-1)番目のインキ・ツボ・キーに対応する範囲の絵柄面積IAm(n1-1)とN1番目のインキ・ツボ・キーに対応する範囲の絵柄面積IAmn1の差の絶対値｜IAm(n1-1)-IAmn1｜≧今回の印刷で使用するM番目の印刷ユニットUNmのインキ色に対応する切換え用の第１の基準値R1m以上か否かを判断する。
【０１２２】
ステップＰ１５で可であれば後述するステップＰ２２に移行し、否であればステップＰ１６でカウント値N1に１を加算し、メモリ４７に上書きする。
【０１２３】
次に、ステップＰ１７で各印刷ユニットのインキ・ツボ・キーの総数Nmaxをメモリ５１から読み込んだ後、ステップＰ１８でカウント値N1が各色毎のインキ・ツボ・キーの総数Nmaxより大きいか否かを判断し、可であればステップＰ１９でカウント値Mに１を加算し、メモリ４６に上書きする。否であればステップＰ９に戻る。
【０１２４】
次に、ステップＰ２０で今回の印刷で使用する印刷ユニット数Mmaxをメモリ４２から読み込んだ後、ステップＰ２１でカウント値Mが今回の印刷で使用する印刷ユニット数Mmaxより大きいか否かを判断し、可であれば後述するステップＰ３６に移行する。否であればステップＰ７に戻る。
【０１２５】
次に、ステップＰ２２でカウント値Ｎ２記憶用メモリ５２に１を書き込んだ後、ステップＰ２３で今回の印刷で使用する印刷ユニットUNmの絵柄面積の合計値IAs記憶用メモリ９６を初期化し、その後ステップＰ２４で今回の印刷で使用するM番目の印刷ユニットUNmのN2番目のインキ・ツボ・キーに対応する範囲の絵柄面積IAmn2をメモリ９３から読み込む。
【０１２６】
次に、ステップＰ２５で今回の印刷で使用する印刷ユニットUNmの絵柄面積の合計値IAs記憶用メモリ９６の値を読み込んだ後、ステップＰ２６で今回の印刷で使用する印刷ユニットUNmの絵柄面積の合計値IAs記憶用メモリの値に、今回の印刷で使用するM番目の印刷ユニットUNmのN2番目のインキ・ツボ・キーに対応する範囲の絵柄面積IAmn2を加算し、今回の印刷で使用する印刷ユニットUNmの絵柄面積の合計値IAs記憶用メモリ９６に上書きする。
【０１２７】
次に、ステップＰ２７でカウント値Ｎ２記憶用メモリ５２に１を加算し、上書きした後、ステップＰ２８で各印刷ユニットのインキ・ツボ・キーの総数Nmaxをメモリ５１から読み込み、その後ステップＰ２９でカウント値N2が各印刷ユニットのインキ・ツボ・キーの総数Nmax以上か否かを判断する。
【０１２８】
次に、ステップＰ３０で今回の印刷で使用する印刷ユニットUNmの絵柄面積の合計値
IAs記憶用メモリ９６の値を読み込んだ後、ステップＰ３１で各印刷ユニットのインキ・ツボ・キーの総数Nmaxをメモリ５１から読み込み、その後ステップＰ３２で今回の印刷で使用する印刷ユニットUNmの絵柄面積の合計値IAs記憶用メモリの値を各印刷ユニットのインキ・ツボ・キーの総数Nmaxで除算して今回の印刷で使用するM番目の印刷ユニットUNmの絵柄面積の平均値IAamを求め、メモリ９１に記憶する。
【０１２９】
次に、ステップＰ３３で今回の印刷で使用するM番目の印刷ユニットUNmのインキ色ICmに対応する切換え用の第２の基準値R2mをメモリ３６から読み込んだ後、ステップＰ３４で今回の印刷で使用するM番目の印刷ユニットUNmの絵柄面積の平均値IAamが今回の印刷で使用するM番目の印刷ユニットUNmのインキ色に対応する切換え用の第２の基準値R2m以上か否かを判断する。
【０１３０】
ステップＰ３４で可であればステップＰ３５で切換ローラ着の印刷ユニット番号記憶用メモリ３７に、今回の印刷で使用するM番目の印刷ユニット番号UNmを書き込んだ後、ステップＰ１９に戻り、否であればステップＰ１６に戻る。
【０１３１】
次に、ステップＰ３６でカウント値Ｍ記憶用メモリ４６に１を書き込むと共に、ステップＰ３７でカウント値Ｎ２記憶用メモリ５２に１を書き込んだ後、ステップＰ３８で今回の印刷で使用するM番目の印刷ユニット番号UNmをメモリ４３から読み込む。
【０１３２】
次に、ステップＰ３９でインキ・ツボ・キーに対応する範囲の面積IAmaxをメモリ９２から読み込むと共に、ステップＰ４０で今回の印刷で使用するM番目の印刷ユニットUNmのN2番目のインキ・ツボ・キーに対応する範囲の絵柄面積IAmn2をメモリ９３から読み込む。
【０１３３】
次に、ステップＰ４１で今回の印刷で使用するM番目の印刷ユニットUNmのN2番目の
インキ・ツボ・キーに対応する範囲の絵柄面積IAmn2を、インキ・ツボ・キーに対応する範囲の面積IAmaxで除算し、今回の印刷で使用するM番目の印刷ユニットUNmのN2番目のインキ・ツボ・キーに対応する範囲の絵柄面積率IRmn2を演算し、メモリ４５に記憶した後、ステップＰ４２でカウント値Ｎ２に１を加算し、メモリ５２に上書きする。
【０１３４】
次に、ステップＰ４３で各印刷ユニットのインキ・ツボ・キーの総数Nmaxをメモリ５１から読み込んだ後、ステップＰ４４でカウント値N2が各色毎のインキ・ツボ・キーの総数Nmaxより大きいか否かを判断し、可であればステップＰ４５でカウント値Ｍに１を加算し、メモリ４６に上書きする。否であればステップＰ３９に戻る。
【０１３５】
次に、ステップＰ４６で今回の印刷で使用する印刷ユニット数Mmaxをメモリ４２から読み込んだ後、ステップＰ４７でカウント値Mが今回の印刷で使用する印刷ユニット数Mmaxより大きいか否かを判断し、可であればステップＰ４８でカウント値Ｍ記憶用メモリ４６に１を書き込む。否であればステップＰ３７に戻る。
【０１３６】
次に、ステップＰ４９でカウント値Ｎ２記憶用メモリ５２に１を書き込んだ後、ステップＰ５０で今回の印刷で使用するM番目の印刷ユニット番号UNmをメモリ４３から読み込む。
【０１３７】
次に、ステップＰ５１で今回の印刷で使用するM番目の印刷ユニットUNmのインキ色ICmをメモリ４４から読み込むと共に、ステップＰ５２で今回の印刷で使用するM番目の印刷ユニットUNmのインキ色ICmに対応する絵柄面積率−インキ・ツボ・キー開き量変換テーブルをメモリ３８から読み込み、その後ステップＰ５３で今回の印刷で使用するM番目の印刷ユニットUNmのN2番目のインキ・ツボ・キーに対応する範囲の絵柄面積率IRmn2をメモリ４５から読み込む。
【０１３８】
次に、ステップＰ５４で今回の印刷で使用する印刷ユニットUNmのインキ色ICmに対応する絵柄面積率−インキ・ツボ・キー開き量変換テーブルを用いて、今回の印刷で使用するM番目の印刷ユニットUNmのN2番目のインキ・ツボ・キーに対応する範囲の絵柄面積率IRmn2より、今回の印刷で使用するM番目の印刷ユニットUNmのN2番目のインキ・ツボ・キーの開き量Kmn2を求め、メモリ３９に記憶する。
【０１３９】
次に、ステップＰ５５でカウント値Ｎ２に１を加算し、メモリ５２に上書きした後、ステップＰ５６で各印刷ユニットのインキ・ツボ・キーの総数Nmaxをメモリ５１から読み込み、ステップＰ５７でカウント値N2が各色毎のインキ・ツボ・キーの総数Nmaxより大きいか否かを判断する。
【０１４０】
ステップＰ５７で可であればステップＰ５８でカウント値Ｍに１を加算し、メモリ４６に上書きし、否であればステップＰ５１に戻る。
【０１４１】
次に、ステップＰ５９で今回の印刷で使用する印刷ユニット数Mmaxをメモリ４２から読み込んだ後、ステップＰ６０でカウント値Mが今回の印刷で使用する印刷ユニット数Mmaxより大きいか否かを判断し、可であればステップＰ６１で切換ローラ着の印刷ユニット番号記憶用メモリ３７の内容を、切換ローラ着設定用の印刷ユニット番号記憶用メモリ４０に書き込む。否であればステップＰ４９に戻る。
【０１４２】
次に、ステップＰ６２で切換ローラ着設定用の印刷ユニット番号記憶用メモリ４０に記憶された最初の印刷ユニット番号を読み込んだ後、ステップＰ６３で切換ローラ着設定用の印刷ユニット番号記憶用メモリ４０に記憶された最初の印刷ユニット番号のローラ経路切換用のエア・シリンダ用のバルブ６０−１〜６０−Ｍに切換信号を出力し、その後ステップＰ６４で切換ローラ着設定用の印刷ユニット番号記憶用メモリ４０より、最初の印刷ユニット番号を削除する。
【０１４３】
次に、ステップＰ６５で切換ローラ着設定用の印刷ユニット番号記憶用メモリ４０の内容をチェックした後、ステップＰ６６で切換ローラ着設定用の印刷ユニット番号記憶用メモリ４０内に、記憶されている印刷ユニット番号が無いか否かを判断し、可であればステップＰ６７でカウント値Ｍ記憶用メモリ４６に１を書き込む。否であればステップＰ６２に戻る。
【０１４４】
次に、ステップＰ６８でカウント値Ｎ２記憶用メモリ５２に１を書き込んだ後、ステップＰ６９で今回の印刷で使用するM番目の印刷ユニット番号UNmをメモリ４３から読み込み、その後ステップＰ７０で今回の印刷で使用するM番目の印刷ユニットUNmのN2番目のインキ・ツボ・キーの開き量Kmn2をメモリ３９から読み込む。
【０１４５】
次に、ステップＰ７１で印刷ユニット番号UNmの印刷ユニットのN2番目のインキ・ツボ・キー開き量制御装置６２−１〜６２−（Ｍ×Ｎ）に、インキ・ツボ・キーの開き量Kmn2を送信した後、ステップＰ７２で印刷ユニット番号UNmの印刷ユニットのN2番目のインキ・ツボ・キー開き量制御装置６２−１〜６２−（Ｍ×Ｎ）より、受信確認信号が送信されたら、ステップＰ７３でカウント値Ｎ２に１を加算し、メモリ５２に上書きする。
【０１４６】
次に、ステップＰ７４で各印刷ユニットのインキ・ツボ・キーの総数Nmaxをメモリ５１から読み込んだ後、ステップＰ７５でカウント値N2が各色毎のインキ・ツボ・キーの総数Nmaxより大きいか否かを判断し、可であればステップＰ７６でカウント値Ｍに１を加算し、メモリ４６に上書きする。否であればステップＰ７０に戻る。
【０１４７】
次に、ステップＰ７７で今回の印刷で使用する印刷ユニット数Mmaxをメモリ４２から読み込んだ後、ステップＰ７８でカウント値Mが今回の印刷で使用する印刷ユニット数Mmaxより大きいか否かを判断し、可であればステップＰ７９でカウント値Ｍ記憶用メモリ４６に１を書き込む。否であればステップＰ６８に戻る。
【０１４８】
次に、ステップＰ８０で今回の印刷で使用するM番目の印刷ユニットUNmのインキ色ICmをメモリ４４から読み込んだ後、ステップＰ８１で今回の印刷で使用するM番目の印刷ユニットUNmのインキ色ICmに対応する基準のインキツボローラの回転量Rmをメモリ４１から読み込み、その後ステップＰ８２で印刷ユニット番号UNmの印刷ユニットのインキツボローラ回転量制御装置６３−１〜６３−Ｍに、インキツボローラの回転量Rmを送信する。
【０１４９】
次に、ステップＰ８３で印刷ユニット番号UNmの印刷ユニットのインキツボローラ回転量制御装置６３−１〜６３−Ｍより、受信確認信号が送信されたら、ステップＰ８４でカウント値Ｍに１を加算し、メモリ４６に上書きした後、ステップＰ８５で今回の印刷で使用する印刷ユニット数Mmaxをメモリ４２から読み込む。
【０１５０】
次に、ステップＰ８６でカウント値Mが今回の印刷で使用する印刷ユニット数Mmaxより大きいか否かを判断し、可であればステップＰ１に戻り、否であればステップＰ８０に戻る。以後、これを繰り返す。
【０１５１】
また、第１のインキ・ツボ・キー開き量制御装置６２−１から第(M×N)のインキ・ツボ・キー開き量制御装置６２−(M×N)は、図２０−ａ及び図２０−ｂに示す動作フローにしたがって動作する。
【０１５２】
即ち、ステップＰ１でインキ供給量制御装置３０より、インキ・ツボ・キーの開き量Kmn2が送信されると、ステップＰ２でインキ・ツボ・キーの開き量Kmnを受信して受信したインキ・ツボ・キーの開き量Kmn記憶用メモリ６７に記憶し、その後ステップＰ３でインキ供給量制御装置３０に受信確認信号を送信する。
【０１５３】
次に、ステップＰ４で受信したインキ・ツボ・キーの開き量Kmnを、目標とするインキ・ツボ・キーの開き量記憶用メモリ６８に書き込んだ後、ステップＰ５でカウンタ７７のカウント値を読込み、メモリ６９に記憶し、その後ステップＰ６でカウンタ７７のカウント値より、現在のインキ・ツボ・キーの開き量を演算し、メモリ７０に記憶する。
【０１５４】
次に、ステップＰ７で目標とするインキ・ツボ・キーの開き量と現在のインキ・ツボ・キーの開き量が等しいか否かを判断し、可であればステップＰ１に戻り、否であればステップＰ８で目標とするインキ・ツボ・キーの開き量が現在のインキ・ツボ・キーの開き量より大きいか否かを判断する。
【０１５５】
ステップＰ８で可であればステップＰ９でインキ・ツボ・キー駆動用モータ・ドライバ７５に正転指令を出力し、否であればステップＰ１０でインキ・ツボ・キー駆動用モータ・ドライバ７５に逆転指令を出力する。
【０１５６】
次に、ステップＰ１１でカウンタ７７のカウント値を読込み、メモリ６９に記憶した後、ステップＰ１２でカウンタ７７のカウント値より、現在のインキ・ツボ・キーの開き量を演算し、メモリ７０に記憶する。
【０１５７】
次に、ステップＰ１３で現在のインキ・ツボ・キーの開き量と目標とするインキ・ツボ・キーの開き量が等しいか否かを判断し、可であればステップＰ１４でインキ・ツボ・キー駆動用モータ・ドライバ７５に駆動停止指令を出力した後、ステップＰ１に戻り、否であればステップＰ１１に戻る。以後、これを繰り返す。
【０１５８】
また、第１のインキツボローラ回転量制御装置６３−１から第Ｍのインキツボローラ回転量制御装置６３−Ｍは、図２１に示す動作フローにしたがって動作する。
【０１５９】
即ち、ステップＰ１でインキ供給量制御装置３０よりインキツボローラの回転量Rmが送信されると、ステップＰ２でインキツボローラの回転量Rmを受信して受信したインキツボローラの回転量Rm記憶用メモリ８１に記憶し、その後ステップＰ３でインキ供給量制御装置３０に受信確認信号を送信する。
【０１６０】
次に、ステップＰ４で受信したインキツボローラの回転量Rmを、目標とするインキツボローラの回転量記憶用メモリ８２に書き込み、記憶した後、ステップＰ５で目標とするインキツボローラの回転量をメモリ８２から読み込む。
【０１６１】
次に、ステップＰ６でインキツボローラ駆動用モータ・ドライバ８７に、目標とするインキツボローラの回転量の回転速度指令を出力してステップＰ１に戻る。以後、これを繰り返す。
【０１６２】
このようにして、本実施例では、各印刷ユニットの各インキ・ツボ・キーに対応する範囲の絵柄面積(IAmn)を求めて隣接するインキ・ツボ・キーの絵柄面積差(IAm(n1-1)-IAmn1)を求め、その差(絶対値)が一定値(第１の基準値R1m：特許請求の範囲の第１の基準値)以上になるところが一つでもある場合は、自動的にインキ練りローラ４ｅをインキ振りローラ５ｂに着にし、給水側のインキ着けローラ６ｂ，６ｃにより多くのインキを供給するようにしてゴースト等が発生しにくいインキ搬送経路（第１のインキ搬送経路）にする。逆に、一つもない場合は、自動的にインキ練りローラ４ｅをインキ振りローラ５ｂから脱にし、給水側のインキ着けローラ６ｂ，６ｃにより少ないインキを供給するようにして色むら等が発生しにくいインキ搬送経路（第２のインキ搬送経路）にする。
【０１６３】
これにより、オペレータの負担を軽減すると共に稼働率を向上させられる。また、切換え忘れが回避されるので、印刷資材の無駄もなくなる。
【０１６４】
また、本実施例では、隣接するインキ・ツボ・キーの絵柄面積差(IAm(n1-1)-IAmn1)が一定値(第１の基準値R1m)以上になる場合、更に、絵柄全体の絵柄面積(IAmn)の平均を求め、求めた平均値（IAam）が一定値(第２の基準値R2m：特許請求の範囲の第２の基準値)以上の場合のみ、自動的にインキ練りローラ４ｅをインキ振りローラ５ｂに着にし、給水側のインキ着けローラ６ｂ，６ｃにより多くのインキを供給するようにしてゴースト等が発生しにくいインキ搬送経路（第１のインキ搬送経路）にする。逆に、一定値(第２の基準値R2m)より小さい場合には、自動的にインキ練りローラ４ｅをインキ振りローラ５ｂから脱にし、給水側のインキ着けローラ６ｂ，６ｃにより少ないインキを供給するようにしてインキが乳化しにくいインキ搬送経路（第２のインキ搬送経路）にする。また、絵柄面積(IAmn)の平均値（IAam）は絵柄面積の合計値（IAｓ）を各印刷ユニットのインキ・ツボ・キーの総数Nmaxで除算した値であり、各印刷ユニットのインキ・ツボ・キーの総数Nmaxは一定値である為、絵柄面積(IAmn)の平均値（IAam）に代えて合計値（IAｓ）を求め、この合計値（IAｓ）を一定値(第２の基準値R2m)と比較しても良いことは言うまでもない。
【０１６５】
これにより、オペレータの判断を不要とし、その負担が軽減されると共に、オペレータの切換えミスが回避され、より一層稼働率を向上させられると共により一層印刷資材の無駄がなくなる。尚、上記実施例では、絵柄面積率Ｄtが第１の基準値以上の場合及び平均値Ｄavが第２の基準値以上の場合、インキ練りローラ４ｅをインキ振りローラ５ｂに着するようにしたが、絵柄面積率Ｄtが第１の基準値より大きい場合及び平均値Ｄavが第２の基準値より大きい場合にインキ練りローラ４ｅをインキ振りローラ５ｂに着するようにしても良い。
【実施例３】
【０１６６】
図２２−ａは本発明の実施例３を示すインキ供給量制御装置のブロック図、図２２−ｂは同じくインキ供給量制御装置のブロック図、図２３はインキ・ツボ・キー開き量制御装置のブロック図、図２４はインキツボローラの回転量制御装置のブロック図、図２５−ａはインキ供給量制御装置の動作フロー図、図２５−ｂはインキ供給量制御装置の動作フロー図、図２５−ｃはインキ供給量制御装置の動作フロー図、図２５−ｄはインキ供給量制御装置の動作フロー図、図２５−ｅはインキ供給量制御装置の動作フロー図、図２６−ａはインキ供給量制御装置の動作フロー図、図２６−ｂはインキ供給量制御装置の動作フロー図、図２６−ｃはインキ供給量制御装置の動作フロー図、図２７−ａはインキ・ツボ・キー開き量制御装置の動作フロー図、図２７−ｂはインキ・ツボ・キー開き量制御装置の動作フロー図、図２８はインキツボローラ回転量制御装置の動作フロー図である。
【０１６７】
なお、本実施例のインキ搬送経路の切換手段の構成は実施例１と同様なので、図１乃至図３を参照して重複する説明は省略する。
【０１６８】
本実施例のインキ供給量制御装置３０は、図２２−ａ，図２２−ｂに示すように、ＣＰＵ３１とＲＡＭ３２とＲＯＭ３３との他に、各インキ色ICmに対応する切換え用の第２の基準値R2m記憶用メモリ３６，切換ローラ着の印刷ユニット番号記憶用メモリ３７，各インキ色ICmに対応する絵柄面積率-インキ・ツボ・キー開き量変換テーブル記憶用メモリ３８，今回の印刷で使用する各印刷ユニットの各インキ・ツボ・キーの開き量Kmn2記憶用メモリ３９，切換ローラ着設定用の印刷ユニット番号記憶用メモリ４０，各インキ色ICmに対応する基準のインキツボローラの回転量Rm記憶用メモリ４１，今回の印刷で使用する印刷ユニット数Mmax記憶用メモリ４２，今回の印刷で使用する印刷ユニット番号UNm記憶用メモリ４３，今回の印刷で使用する各印刷ユニットUNmのインキ色ICm記憶用メモリ４４，今回の印刷で使用する各印刷ユニットUNmの各インキ・ツボ・キーに対応する範囲の絵柄面積率IRmn記憶用メモリ４５，カウント値Ｍ記憶用メモリ４６，カウント値Ｎ１記憶用メモリ４７，各インキ色ICmに対応する切換え用の第１の基準値R1m記憶用メモリ５０，各印刷ユニットのインキ・ツボ・キーの総数Nmax記憶用メモリ５１，カウント値Ｎ２記憶用メモリ５２，今回の印刷で使用する各印刷ユニットのインキ・ツボ・キーの合計値Ks記憶用メモリ９７，今回の印刷で使用する各印刷ユニットのインキ・ツボ・キーの平均値Kam記憶用メモリ９８，今回の印刷で使用する各印刷ユニットUNmの(N1-1)番目のインキ・ツボ・キーの開き量Km(n1-1)とN1番目のインキ・ツボ・キーの開き量Kmn1の差(Km(n1-1)-Kmn1)記憶用メモリ９９，今回の印刷で使用する各印刷ユニットUNmの(N1-1)番目のインキ・ツボ・キーの開き量Km(n1-1)とN1番目のインキ・ツボ・キーの開き量Kmn1の差の絶対値｜Km(n1-1)-Kmn1｜記憶用メモリ１００が、各入出力装置５３，５４及びインタフェース５５と共に母線（ＢＵＳ）５６で接続されてなる。
【０１６９】
入出力装置５３には、キーボートや各種スイッチ及びボタン等の入力装置５７とＣＲＴやランプ等の表示器５８とＦ・Ｄドライブやプリンタ等の出力装置５９が接続される。入出力装置５４には、第１の印刷ユニットのローラ経路切替用のエア・シリンダ２５−１から第Ｍの印刷ユニットのローラ経路切替用のエア・シリンダ２５−Ｍにそれぞれ対応する第１の印刷ユニットのローラ経路切替用のエア・シリンダ用のバルブ６０−１から第Ｍの印刷ユニットのローラ経路切替用のエア・シリンダ用のバルブ６０−Ｍが接続される。
【０１７０】
そして、インタフェース５５には、印刷機制御装置６１と、第１（の印刷ユニット）のインキツボローラ回転量制御装置６３−１から第Ｍ（の印刷ユニット）のインキツボローラ回転量制御装置６３−Ｍと、第１のインキ・ツボ・キー開き量制御装置６２−１から第(M×N)のインキ・ツボ・キー開き量制御装置６２−(M×N)とが接続される。
【０１７１】
印刷機制御装置６１は、図示しない給紙ユニット，第１〜第Ｍ印刷ユニット，排紙ユニット等の印刷機全体を制御するものである。
【０１７２】
第１のインキ・ツボ・キー開き量制御装置６２−１から第(M×N)のインキ・ツボ・キー開き量制御装置６２−(M×N)は、図２３に示すように、ＣＰＵ６４とＲＡＭ６５とＲＯＭ６６との他に、受信したインキ・ツボ・キーの開き量Kmn記憶用メモリ６７，目標とするインキ・ツボ・キーの開き量記憶用メモリ６８，カウンタのカウント値記憶用メモリ６９，現在のインキ・ツボ・キーの開き量記憶用メモリ７０が、入出力装置７１及びインタフェース７２と共に母線（ＢＵＳ）７３で接続されてなる。
【０１７３】
入出力装置７１には、インキ・ツボ・キー駆動用モータ７４がインキ・ツボ・キー駆動用モータ・ドライバ７５を介して接続されると共に、インキ・ツボ・キー駆動用モータ７４に内蔵されたインキ・ツボ・キー駆動用モータ用ロータリー・エンコーダ７６がカウンタ７７を介して接続される。また、インキ・ツボ・キー駆動用モータ用ロータリー・エンコーダ７６の検出信号はインキ・ツボ・キー駆動用モータ・ドライバ７５にも入力される。そして、インタフェース７２に上述したインキ供給量制御装置３０が接続される。
【０１７４】
第１のインキツボローラ回転量制御装置６３−１から第Ｍのインキツボローラ回転量制御装置６３−Ｍは、図２４に示すように、ＣＰＵ７８とＲＡＭ７９とＲＯＭ８０との他に、受信したインキツボローラの回転量Rm記憶用メモリ８１，目標とするインキツボローラの回転量記憶用メモリ８２が、入出力装置８３及びインタフェース８４と共に母線（ＢＵＳ）８５で接続されてなる。
【０１７５】
入出力装置８３には、インキツボローラ駆動用モータ８６がインキツボローラ駆動用モータ・ドライバ８７を介して接続されると共に、インキツボローラ駆動用モータ８６に内蔵されたインキツボローラ駆動用モータ用ロータリー・エンコーダ８８がＦ／Ｖ変換器８９及びＡ／Ｄ変換器９０を介して接続される。また、インキツボローラ駆動用モータ用ロータリー・エンコーダ８８の検出信号はインキツボローラ駆動用モータ・ドライバ８７にも入力される。そして、インタフェース８４に上述したインキ供給量制御装置３０が接続される。
【０１７６】
このように構成されるため、インキ供給量制御装置３０は、図２５−ａ乃至図２５−ｅ，図２６−ａ乃至図２６−ｃに示す動作フローにしたがって動作する。
【０１７７】
即ち、ステップＰ１で入力装置５７におけるインキ・プリセット・スイッチがＯＮか否かを判断し、可であればステップＰ２で各メモリが初期化される。否であればステップＰ３で印刷機制御装置６１より、印刷完了信号が出力されたか否かを判断し、可であればステップＰ４ですべての印刷ユニットのローラ経路切換用のエア・シリンダ用のバルブ６０−１〜６０−Ｍへの切換信号出力を停止してステップＰ１に戻り、否であれば即ステップＰ１に戻る。
【０１７８】
次に、ステップＰ５で今回の印刷で使用する印刷ユニット数Mmax及び印刷ユニット番号UNm及び各印刷ユニットUNmのインキ色ICm及び各インキ・ツボ・キーに対応する範囲の絵柄面積率IRmnを入力し、それぞれのメモリ４２〜４５に記憶した後、ステップＰ６でカウント値Ｍ記憶用メモリ４６に１を書き込むと共に、ステップＰ７でカウント値Ｎ２記憶用メモリ５２に1を書き込む。
【０１７９】
次に、ステップＰ８で今回の印刷で使用するM番目の印刷ユニット番号UNmをメモリ４３から読み込んだ後、ステップＰ９で今回の印刷で使用するM番目の印刷ユニットUNmのインキ色ICmをメモリ４４から読み込み、その後ステップＰ１０で今回の印刷で使用するM番目の印刷ユニットUNmのインキ色ICmに対応する絵柄面積率−インキ・ツボ・キー開き量変換テーブルをメモリ３８から読み込む。
【０１８０】
次に、ステップＰ１１で今回の印刷で使用するM番目の印刷ユニットUNmのN2番目のインキ・ツボ・キーに対応する範囲の絵柄面積率IRmn2をメモリ４５から読み込んだ後、ステップＰ１２で今回の印刷で使用するM番目の印刷ユニットUNmのインキ色ICmに対応する絵柄面積率−インキ・ツボ・キー開き量変換テーブルを用いて、今回の印刷で使用するM番目の印刷ユニットUNmのN2番目のインキ・ツボ・キーに対応する範囲の絵柄面積率IRmn2より、今回の印刷で使用するM番目の印刷ユニットUNmのN2番目のインキ・ツボ・キーの開き量Kmn2を求め、メモリ３９に記憶する。
【０１８１】
次に、ステップＰ１３でカウント値Ｎ２に１を加算し、メモリ５２に上書きした後、ステップＰ１４で各印刷ユニットのインキ・ツボ・キーの総数Nmaxをメモリ５１から読み込み、その後ステップＰ１５でカウント値N2が各色毎のインキ・ツボ・キーの総数Nmaxより大きいか否かを判断する。
【０１８２】
ステップＰ１５で可であればステップＰ１６でカウント値Ｍに１を加算し、メモリ４６に上書きし、否であればステップＰ９に戻る。
【０１８３】
次に、ステップＰ１７で今回の印刷で使用する印刷ユニット数Mmaxをメモリ４２から読み込んだ後、ステップＰ１８でカウント値Mが今回の印刷で使用する印刷ユニット数Mmaxより大きいか否かを判断し、可であればステップＰ１９でカウント値Ｍ記憶用メモリ４６に１を書き込む。否であればステップＰ７に戻る。
【０１８４】
次に、ステップＰ２０でカウント値Ｎ１記憶用メモリ４７に２を書き込んだ後、ステップＰ２１で今回の印刷で使用するM番目の印刷ユニット番号UNmをメモリ４３から読み込み、その後ステップＰ２２で今回の印刷で使用するM番目の印刷ユニットUNmの(N1-1)番目のインキ・ツボ・キーの開き量Km(n1-1)をメモリ３９から読み込む。
【０１８５】
次に、ステップＰ２３で今回の印刷で使用するM番目の印刷ユニットUNmのN1番目のインキ・ツボ・キーの開き量Kmn1をメモリ３９から読み込んだ後、ステップＰ２４で今回の印刷で使用するM番目の印刷ユニットUNmの(N1-1)番目のインキ・ツボ・キーの開き量Km(n1-1)とN1番目のインキ・ツボ・キーの開き量Kmn1の差(Km(n1-1)-Kmn1)を演算し、メモリ９９に記憶する。
【０１８６】
次に、ステップＰ２５で今回の印刷で使用するM番目の印刷ユニットUNmの(N1-1)番目のインキ・ツボ・キーの開き量Km(n1-1)とN1番目のインキ・ツボ・キーの開き量Kmn1の差の絶対値｜Km(n1-1)-Kmn1｜を演算し、メモリ１００に記憶した後、ステップＰ２６で今回の印刷で使用するM番目の印刷ユニットUNmのインキ色ICmをメモリ４４から読み込む。
【０１８７】
次に、ステップＰ２７で今回の印刷で使用するM番目の印刷ユニットUNmのインキ色ICmに対応する切換え用の第１の基準値R1mをメモリ５０から読み込んだ後、ステップＰ２８で今回の印刷で使用するM番目の印刷ユニットUNmの(N1-1)番目のインキ・ツボ・キーの開き量Km(n1-1)とN1番目のインキ・ツボ・キーの開き量Kmn1の差の絶対値｜Km(n1-1)-Kmn1｜が今回の印刷で使用するM番目の印刷ユニットUNmのインキ色に対応する切換え用の第１の基準値R1m以上か否かを判断する。
【０１８８】
ステップＰ２８で可であればステップＰ２９でカウント値Ｎ２記憶用メモリ５２に１を書き込み、否であれば後述するステップＰ４３に移行する。
【０１８９】
次に、ステップＰ３０で今回の印刷で使用する印刷ユニットUNmのインキ・ツボ・キーの開き量の合計値Ks記憶用メモリ９７を初期化した後、ステップＰ３１で今回の印刷で使用するM番目の印刷ユニットUNmのN2番目のインキ・ツボ・キーの開き量Kmn2をメモリ３９から読み込み、その後ステップＰ３２で今回の印刷で使用する印刷ユニットUNmのインキ・ツボ・キーの開き量の合計値Ks記憶用メモリ９７の値を読み込む。
【０１９０】
次に、ステップＰ３３で今回の印刷で使用する印刷ユニットUNmのインキ・ツボ・キーの開き量の合計値Ks記憶用メモリの値に、今回の印刷で使用するM番目の印刷ユニットUNmのN2番目のインキ・ツボ・キーの開き量Kmn2を加算し、今回の印刷で使用する印刷ユニットUNmのインキ・ツボ・キーの開き量の合計値Ks記憶用メモリ９７に上書きした後、ステップＰ３４でカウント値Ｎ２に１を加算し、メモリ５２に上書きする。
【０１９１】
次に、ステップＰ３５で各印刷ユニットのインキ・ツボ・キーの総数Nmaxをメモリ５１から読み込んだ後、ステップＰ３６でカウント値N2が各印刷ユニットのインキ・ツボ・キーの総数Nmax以上か否かを判断し、可であればステップＰ３７で今回の印刷で使用する印刷ユニットUNmのインキ・ツボ・キーの開き量の合計値Ks記憶用メモリ９７の値を読み込む。否であればステップＰ３１に戻る。
【０１９２】
次に、ステップＰ３８で各印刷ユニットのインキ・ツボ・キーの総数Nmaxをメモリ５１から読み込んだ後、ステップＰ３９で今回の印刷で使用する印刷ユニットUNmのインキ・ツボ・キーの開き量の合計値Ks記憶用メモリの値を各印刷ユニットのインキ・ツボ・キーの総数Nmaxで除算して今回の印刷で使用するM番目の印刷ユニットUNmのインキ・ツボ・キーの開き量の平均値Kamを求めメモリ９８に記憶する。
【０１９３】
次に、ステップＰ４０で今回の印刷で使用するM番目の印刷ユニットUNmのインキ色ICmに対応する切換え用の第２の基準値R2mをメモリ３６から読み込んだ後、ステップＰ４１で今回の印刷で使用するM番目の印刷ユニットUNmのインキ・ツボ・キーの開き量の平均値Kamが今回の印刷で使用するM番目の印刷ユニットUNmのインキ色に対応する切換え用の第２の基準値R2m以上か否かを判断する。
【０１９４】
ステップＰ４１で可であればステップＰ４２で切換ローラ着の印刷ユニット番号記憶用メモリ３７に、今回の印刷で使用するM番目の印刷ユニット番号UNmを書き込んだ後、後述するステップＰ４６に移行し、否であればステップＰ４３でカウント値Ｎ１に１を加算し、メモリ４７に上書きする。
【０１９５】
次に、ステップＰ４４で各印刷ユニットのインキ・ツボ・キーの総数Nmaxをメモリ５１から読み込んだ後、ステップＰ４５でカウント値N1が各色毎のインキ・ツボ・キーの総数Nmaxより大きいか否かを判断し、可であればステップＰ４６でカウント値Ｍに１を加算し、メモリ４６に上書きする。否であればステップＰ２２に戻る。
【０１９６】
次に、ステップＰ４７で今回の印刷で使用する印刷ユニット数Mmaxをメモリ４２から読み込んだ後、ステップＰ４８でカウント値Mが今回の印刷で使用する印刷ユニット数Mmaxより大きいか否かを判断し、可であればステップＰ４９で切換ローラ着の印刷ユニット番号記憶用メモリ３７の内容を、切換ローラ着設定用の印刷ユニット番号記憶用メモリ４０に書き込む。否であればステップＰ２０に戻る。
【０１９７】
次に、ステップＰ５０で切換ローラ着設定用の印刷ユニット番号記憶用メモリ４０に記憶された最初の印刷ユニット番号を読み込んだ後、ステップＰ５１で切換ローラ着設定用の印刷ユニット番号記憶用メモリ４０に記憶された最初の印刷ユニット番号のローラ経路切換用のエア・シリンダ用のバルブ６０−１〜６０−Ｍに切換信号を出力し、その後ステップＰ５２で切換ローラ着設定用の印刷ユニット番号記憶用メモリ４０より、最初の印刷ユニット番号を削除する。
【０１９８】
次に、ステップＰ５３で切換ローラ着設定用の印刷ユニット番号記憶用メモリ４０の内容をチェックした後、ステップＰ５４で切換ローラ着設定用の印刷ユニット番号記憶用メモリ４０内に、記憶されている印刷ユニット番号が無いか否かを判断し、可であればステップＰ５５でカウント値Ｍ記憶用メモリ４６に１を書き込む。否であればステップＰ５０に戻る。
【０１９９】
次に、ステップＰ５６でカウント値Ｎ２記憶用メモリ５２に１を書き込んだ後、ステップＰ５７で今回の印刷で使用するM番目の印刷ユニット番号UNmをメモリ４３から読み込み、その後ステップＰ５８で今回の印刷で使用するM番目の印刷ユニットUNmのN2番目のインキ・ツボ・キーの開き量Kmn2をメモリ３９から読み込む。
【０２００】
次に、ステップＰ５９で印刷ユニット番号UNmの印刷ユニットのN2番目のインキ・ツボ・キー開き量制御装置６２−１〜６２−（Ｍ×Ｎ）に、インキ・ツボ・キーの開き量Kmn2を送信した後、ステップＰ６０で印刷ユニット番号UNmの印刷ユニットのN2番目のインキ・ツボ・キー開き量制御装置６２−１〜６２−（Ｍ×Ｎ）より、受信確認信号が送信されたら、ステップＰ６１でカウント値Ｎ２に１を加算し、メモリ５２に上書きする。
【０２０１】
次に、ステップＰ６２で各印刷ユニットのインキ・ツボ・キーの総数Nmaxをメモリ５１から読み込んだ後、ステップＰ６３でカウント値N2が各色毎のインキ・ツボ・キーの総数Nmaxより大きいか否かを判断し、可であればステップＰ６４でカウント値Ｍに１を加算し、メモリ４６に上書きする。否であればステップＰ５８に戻る。
【０２０２】
次に、ステップＰ６５で今回の印刷で使用する印刷ユニット数Mmaxをメモリ４２から読み込んだ後、ステップＰ６６でカウント値Mが今回の印刷で使用する印刷ユニット数Mmaxより大きいか否かを判断し、可であればステップＰ６７でカウント値Ｍ記憶用メモリ４６に１を書き込む。否であればステップＰ５６に戻る。
【０２０３】
次に、ステップＰ６８で今回の印刷で使用するM番目の印刷ユニットUNmのインキ色ICmをメモリ４４から読み込んだ後、ステップＰ６９で今回の印刷で使用するM番目の印刷ユニットUNmのインキ色ICmに対応する基準のインキツボローラの回転量Rmをメモリ４１から読み込み、その後ステップＰ７０で印刷ユニット番号UNmの印刷ユニットのインキツボローラ回転量制御装置６３−１〜６３−Ｍに、インキツボローラの回転量Rmを送信する。
【０２０４】
次に、ステップＰ７１で印刷ユニット番号UNmの印刷ユニットのインキツボローラ回転量制御装置６３−１〜６３−Ｍより、受信確認信号が送信されたら、ステップＰ７２でカウント値Ｍに１を加算し、メモリ４６に上書きした後、ステップＰ７３で今回の印刷で使用する印刷ユニット数Mmaxをメモリ４２から読み込む。
【０２０５】
次に、ステップＰ７４でカウント値Mが今回の印刷で使用する印刷ユニット数Mmaxより大きいか否かを判断し、可であればステップＰ１に戻り、否であればステップＰ６８に戻る。以後、これを繰り返す。
【０２０６】
また、第１のインキ・ツボ・キー開き量制御装置６２−１から第(M×N)のインキ・ツボ・キー開き量制御装置６２−(M×N)は、図２７−ａ及び図２７−ｂに示す動作フローにしたがって動作する。
【０２０７】
即ち、ステップＰ１でインキ供給量制御装置３０より、インキ・ツボ・キーの開き量Kmn2が送信されると、ステップＰ２でインキ・ツボ・キーの開き量Kmnを受信して受信したインキ・ツボ・キーの開き量Kmn記憶用メモリ６７に記憶し、その後ステップＰ３でインキ供給量制御装置３０に受信確認信号を送信する。
【０２０８】
次に、ステップＰ４で受信したインキ・ツボ・キーの開き量Kmnを、目標とするインキ・ツボ・キーの開き量記憶用メモリ６８に書き込んだ後、ステップＰ５でカウンタ７７のカウント値を読込み、メモリ６９に記憶し、その後ステップＰ６でカウンタ７７のカウント値より、現在のインキ・ツボ・キーの開き量を演算し、メモリ７０に記憶する。
【０２０９】
次に、ステップＰ７で目標とするインキ・ツボ・キーの開き量と現在のインキ・ツボ・キーの開き量が等しいか否かを判断し、可であればステップＰ１に戻り、否であればステップＰ８で目標とするインキ・ツボ・キーの開き量が現在のインキ・ツボ・キーの開き量より大きいか否かを判断する。
【０２１０】
ステップＰ８で可であればステップＰ９でインキ・ツボ・キー駆動用モータ・ドライバ７５に正転指令を出力し、否であればステップＰ１０でインキ・ツボ・キー駆動用モータ・ドライバ７５に逆転指令を出力する。
【０２１１】
次に、ステップＰ１１でカウンタ７７のカウント値を読込み、メモリ６９に記憶した後、ステップＰ１２でカウンタ７７のカウント値より、現在のインキ・ツボ・キーの開き量を演算し、メモリ７０に記憶する。
【０２１２】
次に、ステップＰ１３で現在のインキ・ツボ・キーの開き量と目標とするインキ・ツボ・キーの開き量が等しいか否かを判断し、可であればステップＰ１４でインキ・ツボ・キー駆動用モータ・ドライバ７５に駆動停止指令を出力した後、ステップＰ１に戻り、否であればステップＰ１１に戻る。以後、これを繰り返す。
【０２１３】
また、第１のインキツボローラ回転量制御装置６３−１から第Ｍのインキツボローラ回転量制御装置６３−Ｍは、図２８に示す動作フローにしたがって動作する。
【０２１４】
即ち、ステップＰ１でインキ供給量制御装置３０よりインキツボローラの回転量Rmが送信されると、ステップＰ２でインキツボローラの回転量Rmを受信して受信したインキツボローラの回転量Rm記憶用メモリ８１に記憶し、その後ステップＰ３でインキ供給量制御装置３０に受信確認信号を送信する。
【０２１５】
次に、ステップＰ４で受信したインキツボローラの回転量Rmを、目標とするインキツボローラの回転量記憶用メモリ８２に書き込み、記憶した後、ステップＰ５で目標とするインキツボローラの回転量をメモリ８２から読み込む。
【０２１６】
次に、ステップＰ６でインキツボローラ駆動用モータ・ドライバ８７に、目標とするインキツボローラの回転量の回転速度指令を出力してステップＰ１に戻る。以後、これを繰り返す。
【０２１７】
このようにして、本実施例では、各印刷ユニットの各インキ・ツボ・キーの開き量(Kmn)を求めて隣接するインキ・ツボ・キーの開き量差(Km(n1-1)-Kmn1)を求め、その差(絶対値)が一定値(第１の基準値R1m：特許請求の範囲の第３の基準値)以上になるところが一つでもある場合（図５の（ｂ）参照）は、自動的にインキ練りローラ４ｅをインキ振りローラ５ｂに着にし、給水側のインキ着けローラ６ｂ，６ｃにより多くのインキを供給するようにしてゴースト等が発生しにくいインキ搬送経路（第１のインキ搬送経路）にする。逆に、一つもない場合（図５の（ａ）参照）は、自動的にインキ練りローラ４ｅをインキ振りローラ５ｂから脱にし、給水側のインキ着けローラ６ｂ，６ｃにより少ないインキを供給するようにして色むら等が発生しにくいインキ搬送経路（第２のインキ搬送経路）にする。
【０２１８】
これにより、オペレータの負担を軽減すると共に稼働率を向上させられる。また、切換え忘れが回避されるので、印刷資材の無駄もなくなる。
【０２１９】
また、本実施例では、隣接するインキ・ツボ・キーの開き量差(Km(n1-1)-Kmn1)が一定値(第１の基準値R1m)以上になる場合、更に、各インキ・ツボ・キーの開き量の平均を求め、求めた平均値（Kam）が一定値(第２の基準値R2m：特許請求の範囲の第４の基準値)以上の場合のみ、自動的にインキ練りローラ４ｅをインキ振りローラ５ｂに着にし、給水側のインキ着けローラ６ｂ，６ｃにより多くのインキを供給するようにしてゴースト等が発生しにくいインキ搬送経路（第１のインキ搬送経路）にする。逆に、一定値(第２の基準値R2m)より小さい場合には、自動的にインキ練りローラ４ｅをインキ振りローラ５ｂから脱にし、給水側のインキ着けローラ６ｂ，６ｃにより少ないインキを供給するようにしてインキが乳化しにくいインキ搬送経路（第２のインキ搬送経路）にする。インキ・ツボ・キーの開き量の平均値（Kam）はインキ・ツボ・キーの開き量の合計値（Ks）を各印刷ユニットのインキ・ツボ・キーの総数Nmaxで除算した値であり、各印刷ユニットのインキ・ツボ・キーの総数Nmaxは一定値である為、インキ・ツボ・キーの開き量(Kmn)の平均値（Kam）に代えて合計値（Ks）を求め、この合計値（Ks）を一定値（第２の基準値R2m）と比較しても良いことは言うまでもない。
【０２２０】
これにより、オペレータの判断を不要とし、その負担が軽減されると共に、オペレータの切換えミスが回避され、より一層稼働率を向上させられると共により一層印刷資材の無駄がなくなる。尚、上記実施例では、インキ・ツボ・キーの開き量差(Km(n1-1)-Kmn1)が第１の基準値以上の場合及び平均値（Kam）が第２の基準値以上の場合、インキ練りローラ４ｅをインキ振りローラ５ｂに着するようにしたが、インキ・ツボ・キーの開き量差(Km(n1-1)-Kmn1)が第１の基準値より大きい場合及び平均値（Kam）が第２の基準値より大きい場合にインキ練りローラ４ｅをインキ振りローラ５ｂに着するようにしても良い。
【実施例４】
【０２２１】
図２９−ａは本発明の実施例４を示す切換え制御装置のブロック図、図２９−ｂは同じく切換え制御装置のブロック図、図３０はインキ・ツボ・キー開き量制御装置のブロック図、図３１−ａは切換え制御装置の動作フロー図、図３１−ｂは切換え制御装置の動作フロー図、図３１−ｃは切換え制御装置の動作フロー図、図３１−ｄは切換え制御装置の動作フロー図、図３１−ｅは切換え制御装置の動作フロー図、図３２は切換え制御装置の動作フロー図、図３３はインキ・ツボ・キー開き量制御装置の動作フロー図である。
【０２２２】
なお、本実施例は、実施例１における第１から第Ｍの印刷ユニットのローラ経路切替用のエア・シリンダ２５−１〜２５−Ｍが後述する切換え制御装置３０Ａに駆動制御される以外のインキ搬送経路の切換手段の構成は実施例１と同様なので、図１乃至図３を参照して重複する説明は省略する。
【０２２３】
本実施例の切換え制御装置３０Ａは、図２９−ａ，図２９−ｂに示すように、ＣＰＵ３１とＲＡＭ３２とＲＯＭ３３との他に、各インキ色ICmに対応する切換え用の第２の基準値R2m記憶用メモリ３６，切換ローラ着の印刷ユニット番号記憶用メモリ３７，今回の印刷で使用する各印刷ユニットの各インキ・ツボ・キーの開き量Kmn2記憶用メモリ３９，切換ローラ着設定用の印刷ユニット番号記憶用メモリ４０，今回の印刷で使用する印刷ユニット数Mmax記憶用メモリ４２，今回の印刷で使用する印刷ユニット番号UNm記憶用メモリ４３，今回の印刷で使用する各印刷ユニットUNmのインキ色ICm記憶用メモリ４４，カウント値Ｍ記憶用メモリ４６，カウント値Ｎ１記憶用メモリ４７、各インキ色ICmに対応する切換え用の第１の基準値R1m記憶用メモリ５０，各印刷ユニットのインキ・ツボ・キーの総数Nmax記憶用メモリ５１，カウント値Ｎ２記憶用メモリ５２，今回の印刷で使用する各印刷ユニットのインキ・ツボ・キーの合計値Ks記憶用メモリ９７，今回の印刷で使用する各印刷ユニットのインキ・ツボ・キーの平均値Kam記憶用メモリ９８，今回の印刷で使用する各印刷ユニットUNmの(N1-1)番目のインキ・ツボ・キーの開き量Km(n1-1)とN1番目のインキ・ツボ・キーの開き量Kmn1の差(Km(n1-1)-Kmn1)記憶用メモリ９９，今回の印刷で使用する各印刷ユニットUNmの(N1-1)番目のインキ・ツボ・キーの開き量Km(n1-1)とN1番目のインキ・ツボ・キーの開き量Kmn1の差の絶対値｜Km(n1-1)-Kmn1｜記憶用メモリ１００が、各入出力装置５３，５４及びインタフェース５５と共に母線（ＢＵＳ）５６で接続されてなる。
【０２２４】
入出力装置５３には、キーボートや各種スイッチ及びボタン等の入力装置５７とＣＲＴやランプ等の表示器５８とＦ・Ｄドライブやプリンタ等の出力装置５９が接続される。入出力装置５４には、第１の印刷ユニットのローラ経路切替用のエア・シリンダ２５−１から第Ｍの印刷ユニットのローラ経路切替用のエア・シリンダ２５−Ｍにそれぞれ対応する第１の印刷ユニットのローラ経路切替用のエア・シリンダ用のバルブ６０−１から第Ｍの印刷ユニットのローラ経路切替用のエア・シリンダ用のバルブ６０−Ｍが接続される。
【０２２５】
そして、インタフェース５５には、印刷機制御装置６１と、第１のインキ・ツボ・キー開き量制御装置６２−１から第(M×N)のインキ・ツボ・キー開き量制御装置６２−(M×N)とが接続される。
【０２２６】
印刷機制御装置６１は、図示しない給紙ユニット，第１〜第Ｍ印刷ユニット，排紙ユニット等の印刷機全体を制御するものである。
【０２２７】
第１のインキ・ツボ・キー開き量制御装置６２−１から第(M×N)のインキ・ツボ・キー開き量制御装置６２−(M×N)は、図３０に示すように、ＣＰＵ６４とＲＡＭ６５とＲＯＭ６６との他に、カウンタのカウント値記憶用メモリ６９，現在のインキ・ツボ・キーの開き量記憶用メモリ７０が、入出力装置７１及びインタフェース７２と共に母線（ＢＵＳ）７３で接続されてなる。
【０２２８】
入出力装置７１には、インキ・ツボ・キー駆動用モータ７４がインキ・ツボ・キー駆動用モータ・ドライバ７５を介して接続されると共に、インキ・ツボ・キー駆動用モータ７４に内蔵されたインキ・ツボ・キー駆動用モータ用ロータリー・エンコーダ７６がカウンタ７７を介して接続される。また、インキ・ツボ・キー駆動用モータ用ロータリー・エンコーダ７６の検出信号はインキ・ツボ・キー駆動用モータ・ドライバ７５にも入力される。そして、インタフェース７２に上述した切換え制御装置３０Ａが接続される。
【０２２９】
このように構成されるため、切換え制御装置３０Ａは、図３１−ａ乃至図３１−ｅ，図３２に示す動作フローにしたがって動作する。
【０２３０】
即ち、ステップＰ１で入力装置５７における切換え制御スタート・スイッチがＯＮか否かを判断し、可であればステップＰ２で各メモリが初期化される。否であればステップＰ３で印刷機制御装置６１より、印刷完了信号が出力されたか否かを判断し、可であればステップＰ４ですべての印刷ユニットのローラ経路切換用のエア・シリンダ用のバルブ６０−１〜６０−Ｍへの切換信号出力を停止してステップＰ１に戻り、否であれば即ステップＰ１に戻る。
【０２３１】
次に、ステップＰ５で今回の印刷で使用する印刷ユニット数Mmax及び印刷ユニット番号UNm及び各印刷ユニットUNmのインキ色ICmを入力し、それぞれのメモリ４２〜４４に記憶した後、ステップＰ６でカウント値Ｍ記憶用メモリ４６に１を書き込むと共に、ステップＰ７でカウント値Ｎ２記憶用メモリ５２に１を書き込む。
【０２３２】
次に、ステップＰ８で今回の印刷で使用するM番目の印刷ユニット番号UNmをメモリ４３から読み込んだ後、ステップＰ９で印刷ユニット番号UNmの印刷ユニットのN2番目のインキ・ツボ・キー開き量制御装置６２−１〜６２−（Ｍ×Ｎ）に、インキ・ツボ・キーの開き量Kmn2送信指令を出力した後、ステップＰ１０で印刷ユニット番号UNmの印刷ユニットのN2番目のインキ・ツボ・キー開き量制御装置６２−１〜６２−（Ｍ×Ｎ）より、インキ・ツボ・キーの開き量Kmn2が送信されると、ステップＰ１１で印刷ユニット番号UNmの印刷ユニットのN2番目のインキ・ツボ・キー開き量制御装置６２−１〜６２−（Ｍ×Ｎ）より、インキ・ツボ・キーの開き量Kmn2が受信され、メモリ３９に記憶される。
【０２３３】
次に、ステップＰ１２でカウント値Ｎ２に１を加算し、メモリ５２に上書きした後、ステップＰ１３で各印刷ユニットのインキ・ツボ・キーの総数Nmaxをメモリ５１から読み込み、その後ステップＰ１４でカウント値N2が各色毎のインキ・ツボ・キーの総数Nmaxより大きいか否かを判断する。
【０２３４】
ステップＰ１４で可であればステップＰ１５でカウント値Ｍに１を加算し、メモリ４６に上書きし、否であればステップＰ９に戻る。
【０２３５】
次に、ステップＰ１６で今回の印刷で使用する印刷ユニット数Mmaxをメモリ４２から読み込んだ後、ステップＰ１７でカウント値Mが今回の印刷で使用する印刷ユニット数Mmaxより大きいか否かを判断し、可であればステップＰ１８でカウント値Ｍ記憶用メモリ４６に１を書き込む。否であればステップＰ７に戻る。
【０２３６】
次に、ステップＰ１９でカウント値Ｎ１記憶用メモリ４７に２を書き込んだ後、ステップＰ２０で今回の印刷で使用するM番目の印刷ユニット番号UNmをメモリ４３から読み込み、その後ステップＰ２１で今回の印刷で使用するM番目の印刷ユニットUNmの(N1-1)番目のインキ・ツボ・キーの開き量Km(n1-1)をメモリ３９から読み込む。
【０２３７】
次に、ステップＰ２２で今回の印刷で使用するM番目の印刷ユニットUNmのN1番目のインキ・ツボ・キーの開き量Kmn1をメモリ３９から読み込んだ後、ステップＰ２３で今回の印刷で使用するM番目の印刷ユニットUNmの(N1-1)番目のインキ・ツボ・キーの開き量Km(n1-1)とN1番目のインキ・ツボ・キーの開き量Kmn1の差(Km(n1-1)-Kmn1)を演算し、メモリ９９に記憶する。
【０２３８】
次に、ステップＰ２４で今回の印刷で使用するM番目の印刷ユニットUNmの(N1-1)番目のインキ・ツボ・キーの開き量Km(n1-1)とN1番目のインキ・ツボ・キーの開き量Kmn1の差の絶対値｜Km(n1-1)-Kmn1｜を演算し、メモリ１００に記憶した後、ステップＰ２５で今回の印刷で使用するM番目の印刷ユニットUNmのインキ色ICmをメモリ４４から読み込む。
【０２３９】
次に、ステップＰ２６で今回の印刷で使用するM番目の印刷ユニットUNmのインキ色ICmに対応する切換え用の第１の基準値R1mをメモリ５０から読み込んだ後、ステップＰ２７で今回の印刷で使用するM番目の印刷ユニットUNmの(N1-1)番目のインキ・ツボ・キーの開き量Km(n1-1)とN1番目のインキ・ツボ・キーの開き量Kmn1の差の絶対値｜Km(n1-1)-Kmn1｜が今回の印刷で使用するM番目の印刷ユニットUNmのインキ色に対応する切換え用の第１の基準値R1m以上か否かを判断する。
【０２４０】
ステップＰ２７で可であればステップＰ２８でカウント値Ｎ２記憶用メモリ５２に１を書き込み、否であれば後述するステップＰ４２に移行する。
【０２４１】
次に、ステップＰ２９で今回の印刷で使用する印刷ユニットUNmのインキ・ツボ・キーの開き量の合計値Ks記憶用メモリ９７を初期化した後、ステップＰ３０で今回の印刷で使用するM番目の印刷ユニットUNmのN2番目のインキ・ツボ・キーの開き量Kmn2をメモリ３９から読み込み、その後ステップＰ３１で今回の印刷で使用する印刷ユニットUNmのインキ・ツボ・キーの開き量の合計値Ks記憶用メモリ９７の値を読み込む。
【０２４２】
次に、ステップＰ３２で今回の印刷で使用する印刷ユニットUNmのインキ・ツボ・キーの開き量の合計値Ks記憶用メモリの値に、今回の印刷で使用するM番目の印刷ユニットUNmのN2番目のインキ・ツボ・キーの開き量Kmn2を加算し、今回の印刷で使用する印刷ユニットUNmのインキ・ツボ・キーの開き量の合計値Ks記憶用メモリ９７に上書きした後、ステップＰ３３でカウント値Ｎ２に１を加算し、メモリ５２に上書きする。
【０２４３】
次に、ステップＰ３４で各印刷ユニットのインキ・ツボ・キーの総数Nmaxをメモリ５１から読み込んだ後、ステップＰ３５でカウント値N2が各印刷ユニットのインキ・ツボ・キーの総数Nmaxより大きいか否かを判断し、可であればステップＰ３６で今回の印刷で使用する印刷ユニットUNmのインキ・ツボ・キーの開き量の合計値Ks記憶用メモリ９７の値を読み込む。否であればステップＰ３０に戻る。
【０２４４】
次に、ステップＰ３７で各印刷ユニットのインキ・ツボ・キーの総数Nmaxをメモリ５１から読み込んだ後、ステップＰ３８で今回の印刷で使用する印刷ユニットUNmのインキ・ツボ・キーの開き量の合計値Ks記憶用メモリの値を各印刷ユニットのインキ・ツボ・キーの総数Nmaxで除算して今回の印刷で使用するM番目の印刷ユニットUNmのインキ・ツボ・キーの開き量の平均値Kamを求め、メモリ９８に記憶する。
【０２４５】
次に、ステップＰ３９で今回の印刷で使用するM番目の印刷ユニットUNmのインキ色ICmに対応する切換え用の第２の基準値R2mをメモリ３６から読み込んだ後、ステップＰ４０で今回の印刷で使用するM番目の印刷ユニットUNmのインキ・ツボ・キーの開き量の平均値Kamが今回の印刷で使用するM番目の印刷ユニットUNmのインキ色に対応する切換え用の第２の基準値R2m以上か否かを判断する。
【０２４６】
ステップＰ４０で可であればステップＰ４１で切換ローラ着の印刷ユニット番号記憶用メモリ３７に、今回の印刷で使用するM番目の印刷ユニット番号UNmを書き込んだ後、後述するステップＰ４５に移行し、否であればステップＰ４２でカウント値Ｎ１に１を加算し、メモリ４７に上書きする。
【０２４７】
次に、ステップＰ４３で各印刷ユニットのインキ・ツボ・キーの総数Nmaxをメモリ５１から読み込んだ後、ステップＰ４４でカウント値N1が各色毎のインキ・ツボ・キーの総数Nmaxより大きいか否かを判断し、可であればステップＰ４５でカウント値Ｍに１を加算し、メモリ４６に上書きする。否であればステップＰ２１に戻る。
【０２４８】
次に、ステップＰ４６で今回の印刷で使用する印刷ユニット数Mmaxをメモリ４２から読み込んだ後ステップＰ４７でカウント値Mが今回の印刷で使用する印刷ユニット数Mmaxより大きいか否かを判断し、可であればステップＰ４８で切換ローラ着の印刷ユニット番号記憶用メモリ３７の内容を、切換ローラ着設定用の印刷ユニット番号記憶用メモリ４０に書き込む。否であればステップＰ２０に戻る。
【０２４９】
次に、ステップＰ４９で切換ローラ着設定用の印刷ユニット番号記憶用メモリ４０に記憶された最初の印刷ユニット番号を読み込んだ後、ステップＰ５０で切換ローラ着設定用の印刷ユニット番号記憶用メモリ４０に記憶された最初の印刷ユニット番号のローラ経路切換用のエア・シリンダ用のバルブ６０−１〜６０−Ｍに切換信号を出力し、その後ステップＰ５１で切換ローラ着設定用の印刷ユニット番号記憶用メモリ４０より、最初の印刷ユニット番号を削除する。
【０２５０】
次に、ステップＰ５２で切換ローラ着設定用の印刷ユニット番号記憶用メモリ４０の内容をチェックした後、ステップＰ５３で切換ローラ着設定用の印刷ユニット番号記憶用メモリ４０内に、記憶されている印刷ユニット番号が無いか否かを判断し、可であればステップＰ１に戻る。否であればステップＰ４９に戻る。
【０２５１】
また、第１のインキ・ツボ・キー開き量制御装置６２−１から第(M×N)のインキ・ツボ・キー開き量制御装置６２−(M×N)は、図３３に示す動作フローにしたがって動作する。
【０２５２】
即ち、ステップＰ１で切換え制御装置３０Ａより、インキ・ツボ・キーの開き量Kmn2が送信されると、ステップＰ２でカウンタ７７のカウント値を読込み、メモリ６９に記憶し、その後ステップＰ３でカウンタ７７のカウント値より、現在のインキ・ツボ・キーの開き量を演算し、メモリ７０に記憶する。
【０２５３】
次に、ステップＰ４で切換え制御装置３０Ａにインキ・ツボ・キーの開き量Kmn2を送信し、以後、これを繰り返す。
【０２５４】
このようにして、本実施例では、各印刷ユニットの各インキ・ツボ・キーの開き量(Kmn)を求めて隣接するインキ・ツボ・キーの開き量差(Km(n1-1)-Kmn1)を求め、その差(絶対値)が一定値(第１の基準値R1m：特許請求の範囲の第３の基準値)以上になるところが一つでもある場合（図５の（ｂ）参照）は、自動的にインキ練りローラ４ｅをインキ振りローラ５ｂに着にし、給水側のインキ着けローラ６ｂ，６ｃにより多くのインキを供給するようにしてゴースト等が発生しにくいインキ搬送経路（第１のインキ搬送経路）にする。逆に、一つもない場合（図５の（ａ）参照）は、自動的にインキ練りローラ４ｅをインキ振りローラ５ｂから脱にし、給水側のインキ着けローラ６ｂ，６ｃにより少ないインキを供給するようにして色むら等が発生しにくいインキ搬送経路（第２のインキ搬送経路）にする。
【０２５５】
これにより、オペレータの負担を軽減すると共に稼働率を向上させられる。また、切換え忘れが回避されるので、印刷資材の無駄もなくなる。
【０２５６】
また、本実施例では、隣接するインキ・ツボ・キーの開き量差(Km(n1-1)-Kmn1)が一定値(第１の基準値R1m)以上になる場合、更に、各インキ・ツボ・キーの開き量の平均を求め、求めた平均値（Kam）が一定値(第２の基準値R2m：特許請求の範囲の第４の基準値)以上の場合のみ、自動的にインキ練りローラ４ｅをインキ振りローラ５ｂに着にし、給水側のインキ着けローラ６ｂ，６ｃにより多くのインキを供給するようにしてゴースト等が発生しにくいインキ搬送経路（第１のインキ搬送経路）にする。逆に、一定値(第２の基準値R2m)より小さい場合には、自動的にインキ練りローラ４ｅをインキ振りローラ５ｂから脱にし、給水側のインキ着けローラ６ｂ，６ｃにより少ないインキを供給するようにしてインキが乳化しにくいインキ搬送経路（第２のインキ搬送経路）にする。インキ・ツボ・キーの開き量の平均値（Kam）はインキ・ツボ・キーの開き量の合計値（Ks）を各印刷ユニットのインキ・ツボ・キーの総数Nmaxで除算した値であり、各印刷ユニットのインキ・ツボ・キーの総数Nmaxは一定値である為、インキ・ツボ・キーの開き量(Kmn)の平均値（Kam）に代えて合計値（Ks）を求め、この合計値（Ks）を一定値（第２の基準値R2m）と比較しても良いことは言うまでもない。
【０２５７】
これにより、オペレータの判断を不要とし、その負担が軽減されると共に、オペレータの切換えミスが回避され、より一層稼働率を向上させられると共により一層印刷資材の無駄がなくなる。尚、上記実施例では、インキ・ツボ・キーの開き量差(Km(n1-1)-Kmn1)が第１の基準値以上の場合及び平均値（Kam）が第２の基準値以上の場合、インキ練りローラ４ｅをインキ振りローラ５ｂに着するようにしたが、インキ・ツボ・キーの開き量差(Km(n1-1)-Kmn1)が第１の基準値より大きい場合及び平均値（Kam）が第２の基準値より大きい場合にインキ練りローラ４ｅをインキ振りローラ５ｂに着するようにしても良い。
【０２５８】
また、本実施例では、実施例３と異なり、各インキ色ICmに対応する絵柄面積率-インキ・ツボ・キー開き量変換テーブルを用いずに、インキ・ツボ・キー駆動用モータ用ロータリー・エンコーダ７６からの検出信号より、実際のインキ・ツボ・キーの開き量(Kmn)を検出するようにしたので、制御装置の簡略化が図れるという利点がある。
【図面の簡単な説明】
【０２５９】
【図１】本発明の実施例１を示すインキ装置のローラ配列を示す説明図である。
【図２】インキ搬送経路切換え装置の展開平断面図である。
【図３】インキ搬送経路切換え装置の側面図である。
【図４】隣接するツボキーの絵柄面積率差Ｄtと絵柄面積率平均値Ｄavの説明図である。
【図５】異なった絵柄を有した印刷物の説明図である。
【図６−ａ】インキ供給量制御装置のブロック図である。
【図６−ｂ】インキ供給量制御装置のブロック図である。
【図７】インキ・ツボ・キー開き量制御装置のブロック図である。
【図８】インキツボローラの回転量制御装置のブロック図である。
【図９−ａ】インキ供給量制御装置の動作フロー図である。
【図９−ｂ】インキ供給量制御装置の動作フロー図である。
【図９−ｃ】インキ供給量制御装置の動作フロー図である。
【図１０−ａ】インキ供給量制御装置の動作フロー図である。
【図１０−ｂ】インキ供給量制御装置の動作フロー図である。
【図１１−ａ】インキ供給量制御装置の動作フロー図である。
【図１１−ｂ】インキ供給量制御装置の動作フロー図である。
【図１２−ａ】インキ・ツボ・キー開き量制御装置の動作フロー図である。
【図１２−ｂ】インキ・ツボ・キー開き量制御装置の動作フロー図である。
【図１３】インキツボローラの回転量制御装置の動作フロー図である。
【図１４−ａ】本発明の実施例２を示すインキ供給量制御装置のブロック図である。
【図１４−ｂ】同じくインキ供給量制御装置のブロック図である。
【図１５】インキ・ツボ・キー開き量制御装置のブロック図である。
【図１６】インキツボローラの回転量制御装置のブロック図である。
【図１７−ａ】インキ供給量制御装置の動作フロー図である。
【図１７−ｂ】インキ供給量制御装置の動作フロー図である。
【図１７−ｃ】インキ供給量制御装置の動作フロー図である。
【図１８−ａ】インキ供給量制御装置の動作フロー図である。
【図１８−ｂ】インキ供給量制御装置の動作フロー図である。
【図１８−ｃ】インキ供給量制御装置の動作フロー図である。
【図１９−ａ】インキ供給量制御装置の動作フロー図である。
【図１９−ｂ】インキ供給量制御装置の動作フロー図である。
【図２０−ａ】インキ・ツボ・キー開き量制御装置の動作フロー図である。
【図２０−ｂ】インキ・ツボ・キー開き量制御装置の動作フロー図である。
【図２１】インキツボローラの回転量制御装置の動作フロー図である。
【図２２−ａ】本発明の実施例３を示すインキ供給量制御装置のブロック図である。
【図２２−ｂ】同じくインキ供給量制御装置のブロック図である。
【図２３】インキ・ツボ・キー開き量制御装置のブロック図である。
【図２４】インキツボローラの回転量制御装置のブロック図である。
【図２５−ａ】インキ供給量制御装置の動作フロー図である。
【図２５−ｂ】インキ供給量制御装置の動作フロー図である。
【図２５−ｃ】インキ供給量制御装置の動作フロー図である。
【図２５−ｄ】インキ供給量制御装置の動作フロー図である。
【図２５−ｅ】インキ供給量制御装置の動作フロー図である。
【図２６−ａ】インキ供給量制御装置の動作フロー図である。
【図２６−ｂ】インキ供給量制御装置の動作フロー図である。
【図２６−ｃ】インキ供給量制御装置の動作フロー図である。
【図２７−ａ】インキ・ツボ・キー開き量制御装置の動作フロー図である。
【図２７−ｂ】インキ・ツボ・キー開き量制御装置の動作フロー図である。
【図２８】インキツボローラの回転量制御装置の動作フロー図である。
【図２９−ａ】本発明の実施例４を示す切換え制御装置のブロック図である。
【図２９−ｂ】同じく切換え制御装置のブロック図である。
【図３０】インキ・ツボ・キー開き量制御装置のブロック図である。
【図３１−ａ】切換え制御装置の動作フロー図である。
【図３１−ｂ】切換え制御装置の動作フロー図である。
【図３１−ｃ】切換え制御装置の動作フロー図である。
【図３１−ｄ】切換え制御装置の動作フロー図である。
【図３１−ｅ】切換え制御装置の動作フロー図である。
【図３２】切換え制御装置の動作フロー図である。
【図３３】インキ・ツボ・キー開き量制御装置の動作フロー図である。
【符号の説明】
【０２６０】
１  インキツボ、２  インキツボローラ、３  インキ呼出しローラ、４ａ〜４ｇ  インキ練りローラ、５ａ〜５ｃ  インキ振りローラ、６ａ〜６ｃ  インキ着けローラ、７  版胴、８  給水装置、８ａ  水元ローラ、８ｂ  呼出しローラ、８ｃ  往復ローラ、８ｄ
着けローラ、１０  左，右両フレーム、１１  軸受ハウジング、１２  第１レバー、１３ａ，１３ｂ  フランジ、１４  ベアリングキャップ、１５  第２レバー、１６  ベアリングキャップ、１７  偏心ブッシュ、１８  切換えレバー、１９  ナット、２０  スタッドピン、２１  調整ネジ、２２  ノブ、２３  スタッドピン、２４  圧縮コイルばね、２５−１  第１の印刷ユニットのローラ経路切替用のエア・シリンダ、２５−Ｍ  第Ｍの印刷ユニットのローラ経路切替用のエア・シリンダ、２５  ピン、２６  支持レバー、２６ａ  ピン、３０  インキ供給量制御装置、３０Ａ  切換え制御装置、３１  ＣＰＵ、３２  ＲＡＭ、３３  ＲＯＭ、３４  今回の印刷で使用する各印刷ユニットの絵柄面積率の合計値IRs記憶用メモリ、３５  今回の印刷で使用する各印刷ユニットの絵柄面積率の平均値IRam記憶用メモリ、３６  各インキ色ICmに対応する切換え用の第２の基準値R2m記憶用メモリ、３７  切換ローラ着の印刷ユニット番号記憶用メモリ、３８  各インキ色ICmに対応する絵柄面積率-インキ・ツボ・キー開き量変換テーブル記憶用メモリ、３９  今回の印刷で使用する各印刷ユニットの各インキ・ツボ・キーの開き量Kmn2記憶用メモリ、４０  切換ローラ着設定用の印刷ユニット番号記憶用メモリ、４１  各インキ色ICmに対応する基準のインキツボローラの回転量Rm記憶用メモリ、４２  今回の印刷で使用する印刷ユニット数Mmax記憶用メモリ、４３  今回の印刷で使用する印刷ユニット番号UNm記憶用メモリ、４４  今回の印刷で使用する各印刷ユニットUNmのインキ色ICm記憶用メモリ、４５  今回の印刷で使用する各印刷ユニットUNmの各インキ・ツボ・キーに対応する範囲の絵柄面積率IRmn記憶用メモリ、４６  カウント値Ｍ記憶用メモリ、４７  カウント値Ｎ１記憶用メモリ、４８  今回の印刷で使用する各印刷ユニットUNmの(N1-1)番目のインキ・ツボ・キーに対応する範囲の絵柄面積率IRm(n1-1)とN1番目のインキ・ツボ・キーに対応する範囲の絵柄面積率IRmn1の差(IRm(n1-1)-IRmn1)記憶用メモリ、４９  今回の印刷で使用する各印刷ユニットUNmの(N1-1)番目のインキ・ツボ・キーに対応する範囲の絵柄面積率IRm(n1-1)とN1番目のインキ・ツボ・キーに対応する範囲の絵柄面積率IRmn1の差の絶対値｜IRm(n1-1)-IRmn1｜記憶用メモリ、５０  各インキ色ICmに対応する切換え用の第１の基準値R1m記憶用メモリ、５１  各印刷ユニットのインキ・ツボ・キーの総数Nmax記憶用メモリ、５２  カウント値Ｎ２記憶用メモリ、５３，５４  入出力装置、５５  インタフェース、５６  母線（ＢＵＳ）、５７  入力装置、５８  表示器、５９  出力装置、６０−１  第１の印刷ユニットのローラ経路切替用のエア・シリンダ用のバルブ、６０−Ｍ  第Ｍの印刷ユニットのローラ経路切替用のエア・シリンダ用のバルブ、６１  印刷機制御装置、６２−１  第１のインキ・ツボ・キー開き量制御装置、６２−(M×N)  第(M×N)のインキ・ツボ・キー開き量制御装置、６３−１  第１（の印刷ユニット）のインキツボローラ回転量制御装置、６３−Ｍ  第Ｍ（の印刷ユニット）のインキツボローラ回転量制御装置、６４  ＣＰＵ、６５  ＲＡＭ、６６  ＲＯＭ、６７  受信したインキ・ツボ・キーの開き量Kmn記憶用メモリ、６８  目標とするインキ・ツボ・キーの開き量記憶用メモリ、６９  カウンタのカウント値記憶用メモリ、７０  現在のインキ・ツボ・キーの開き量記憶用メモリ、７１  入出力装置、７２  インタフェース、７３  母線（ＢＵＳ）、７４  インキ・ツボ・キー駆動用モータ、７５  インキ・ツボ・キー駆動用モータ・ドライバ、７６  インキ・ツボ・キー駆動用モータ用ロータリー・エンコーダ、７７  カウンタ、７８  ＣＰＵ、７９  ＲＡＭ、８０  ＲＯＭ、８１  受信したインキツボローラの回転量Rm記憶用メモリ、８２  目標とするインキツボローラの回転量記憶用メモリ、８３  入出力装置、８４  インタフェース、８５  母線（ＢＵＳ）、８６  インキツボローラ駆動用モータ、８７  インキツボローラ駆動用モータ・ドライバ、８８  インキツボローラ駆動用モータ用ロータリー・エンコーダ、８９  Ｆ／Ｖ変換器、９０  Ａ／Ｄ変換器、９１  今回の印刷で使用する各印刷ユニットの絵柄面積の平均値IAam記憶用メモリ、９２  インキ・ツボ・キーに対応する範囲の面積IAmax記憶用メモリ、９３  今回の印刷で使用する各印刷ユニットUNmの各インキ・ツボ・キーに対応する範囲の絵柄面積IAmn記憶用メモリ、９４  今回の印刷で使用するM番目の印刷ユニットUNmの(N1-1)番目のインキ・ツボ・キーに対応する範囲の絵柄面積IAm(n1-1)とN1番目のインキ・ツボ・キーに対応する範囲の絵柄面積IAmn1の差(IAm(n1-1)-IAmn1)記憶用メモリ、９５  今回の印刷で使用するM番目の印刷ユニットUNmの(N1-1)番目のインキ・ツボ・キーに対応する範囲の絵柄面積IAm(n1-1)とN1番目のインキ・ツボ・キーに対応する範囲の絵柄面積IAmn1の差の絶対値｜IAm(n1-1)-IAmn1｜記憶用メモリ、９６  今回の印刷で使用する各印刷ユニットの絵柄面積の合計値IAs記憶用メモリ、９７  今回の印刷で使用する各印刷ユニットのインキ・ツボ・キーの合計値Ks記憶用メモリ、９８  今回の印刷で使用する各印刷ユニットのインキ・ツボ・キーの平均値Kam記憶用メモリ、９９  今回の印刷で使用する各印刷ユニットUNmの(N1-1)番目のインキ・ツボ・キーの開き量Km(n1-1)とN1番目のインキ・ツボ・キーの開き量Kmn1の差(Km(n1-1)-Kmn1)記憶用メモリ、１００  今回の印刷で使用する各印刷ユニットUNmの(N1-1)番目のインキ・ツボ・キーの開き量Km(n1-1)とN1番目のインキ・ツボ・キーの開き量Kmn1の差の絶対値｜Km(n1-1)-Kmn1｜記憶用メモリ。
【図１】
2007152822.tif 000003
【図２】
2007152822.tif 000004
【図３】
2007152822.tif 000005
【図４】
2007152822.tif 000006
【図５】
2007152822.tif 000007
【図６−ａ】
2007152822.tif 000008
【図６−ｂ】
2007152822.tif 000009
【図７】
2007152822.tif 000010
【図８】
2007152822.tif 000011
【図９−ａ】
2007152822.tif 000012
【図９−ｂ】
2007152822.tif 000013
【図９−ｃ】
2007152822.tif 000014
【図１０−ａ】
2007152822.tif 000015
【図１０−ｂ】
2007152822.tif 000016
【図１１−ａ】
2007152822.tif 000017
【図１１−ｂ】
2007152822.tif 000018
【図１２−ａ】
2007152822.tif 000019
【図１２−ｂ】
2007152822.tif 000020
【図１３】
2007152822.tif 000021
【図１４−ａ】
2007152822.tif 000022
【図１４−ｂ】
2007152822.tif 000023
【図１５】
2007152822.tif 000024
【図１６】
2007152822.tif 000025
【図１７−ａ】
2007152822.tif 000026
【図１７−ｂ】
2007152822.tif 000027
【図１７−ｃ】
2007152822.tif 000028
【図１８−ａ】
2007152822.tif 000029
【図１８−ｂ】
2007152822.tif 000030
【図１８−ｃ】
2007152822.tif 000031
【図１９−ａ】
2007152822.tif 000032
【図１９−ｂ】
2007152822.tif 000033
【図２０−ａ】
2007152822.tif 000034
【図２０−ｂ】
2007152822.tif 000035
【図２１】
2007152822.tif 000036
【図２２−ａ】
2007152822.tif 000037
【図２２−ｂ】
2007152822.tif 000038
【図２３】
2007152822.tif 000039
【図２４】
2007152822.tif 000040
【図２５−ａ】
2007152822.tif 000041
【図２５−ｂ】
2007152822.tif 000042
【図２５−ｃ】
2007152822.tif 000043
【図２５−ｄ】
2007152822.tif 000044
【図２５−ｅ】
2007152822.tif 000045
【図２６−ａ】
2007152822.tif 000046
【図２６−ｂ】
2007152822.tif 000047
【図２６−ｃ】
2007152822.tif 000048
【図２７−ａ】
2007152822.tif 000049
【図２７−ｂ】
2007152822.tif 000050
【図２８】
2007152822.tif 000051
【図２９−ａ】
2007152822.tif 000052
【図２９−ｂ】
2007152822.tif 000053
【図３０】
2007152822.tif 000054
【図３１−ａ】
2007152822.tif 000055
【図３１−ｂ】
2007152822.tif 000056
【図３１−ｃ】
2007152822.tif 000057
【図３１−ｄ】
2007152822.tif 000058
【図３１−ｅ】
2007152822.tif 000059
【図３２】
2007152822.tif 000060
【図３３】
2007152822.tif 000061
【手続補正書】
【提出日】平成18年1月31日(2006.1.31)
【手続補正１】
【補正対象書類名】明細書
【補正対象項目名】００４３
【補正方法】変更
【補正の内容】
【００４３】
前記インキ練りローラ４ｅがインキ振りローラ５ｂに所定の圧力をもって接触（対接：第１の位置）した際は、給水装置８側のインキ着けローラ６ｂ、６ｃ、特に６ｃまでのインキ搬送経路の長さが短くなり、インキ着けローラ６ｂ、６ｃ、特に６ｃにより多くのインキが供給される（即ち、給水装置８側のインキ着けローラ６ｂ，６ｃにより多くのインキを供給するインキ搬送経路：第１のインキ搬送経路）が、インキ振りローラ５ｂから離脱（非対接：第２の位置）した際には、給水装置８側のインキ着けローラ６ｂ、６ｃ、特に６ｃまでのインキ搬送経路の長さが長くなり、インキ着けローラ６ｂ、６ｃ、特に６ｃにより少ないインキが供給される（即ち、給水装置８側のインキ着けローラ６ｂ，６ｃにより少ないインキを供給するインキ搬送経路：第２のインキ搬送経路）ようになっている。
【手続補正２】
【補正対象書類名】明細書
【補正対象項目名】０１０５
【補正方法】変更
【補正の内容】
【０１０５】
これにより、オペレータの判断を不要とし、その負担が軽減されると共に、オペレータの切換えミスが回避され、より一層稼働率を向上させられると共により一層印刷資材の無駄がなくなる。尚、上記実施例では、絵柄面積率差Ｄtが第１の基準値以上の場合及び平均値Ｄavが第２の基準値以上の場合、インキ練りローラ４ｅをインキ振りローラ５ｂに着するようにしたが、絵柄面積率差Ｄtが第１の基準値より大きい場合及び平均値Ｄavが第２の基準値より大きい場合にインキ練りローラ４ｅをインキ振りローラ５ｂに着するようにしても良い。
【手続補正３】
【補正対象書類名】明細書
【補正対象項目名】０１６５
【補正方法】変更
【補正の内容】
【０１６５】
これにより、オペレータの判断を不要とし、その負担が軽減されると共に、オペレータの切換えミスが回避され、より一層稼働率を向上させられると共により一層印刷資材の無駄がなくなる。尚、上記実施例では、絵柄面積率差Ｄtが第１の基準値以上の場合及び平均値Ｄavが第２の基準値以上の場合、インキ練りローラ４ｅをインキ振りローラ５ｂに着するようにしたが、絵柄面積率差Ｄtが第１の基準値より大きい場合及び平均値Ｄavが第２の基準値より大きい場合にインキ練りローラ４ｅをインキ振りローラ５ｂに着するようにしても良い。